(57)【要約】  本願の実施例はフィードバック情報の伝送方法及びコンピュータ可読記憶媒体を提供し、該方法はダウンリンク制御情報によって、ＨＡＲＱ−ＡＣＫコードブックをフィードバックするための使用対象のフィードバックパラメータを示し、それにより異なるダウンリンクデータのフィードバックニーズを満足することができる。
2021526765.tif 000002
【特許請求の範囲】
【請求項１】
フィードバック情報の伝送方法であって、
端末装置がネットワーク装置から送信された、目標データをスケジューリングするためのダウンリンク制御情報を受信することと、
前記端末装置が前記ネットワーク装置から送信された前記目標データを受信することと、
前記端末装置が前記ダウンリンク制御情報に基づいて、ハイブリッド自動再送要求確認応答（ＨＡＲＱ−ＡＣＫ）コードブックのフィードバックパラメータを決定し、前記ＨＡＲＱ−ＡＣＫコードブックが前記目標データのＨＡＲＱ−ＡＣＫ情報を含み、前記フィードバックパラメータが前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むことと、
前記端末装置が前記フィードバックパラメータに基づいて、前記ネットワーク装置に前記ＨＡＲＱ−ＡＣＫコードブックを送信することと、を含むフィードバック情報の伝送方法。
【請求項２】
前記フィードバックパラメータが前記ＨＡＲＱ−ＡＣＫコードブックのフィードバックモードを含み、前記端末装置が前記ダウンリンク制御情報に基づいてＨＡＲＱ−ＡＣＫコードブックのフィードバックパラメータを決定することは、
前記ダウンリンク制御情報をデスクランブルするためのＲＮＴＩが第１無線ネットワーク一時的識別子（ＲＮＴＩ）である場合、前記端末装置が前記ＨＡＲＱ−ＡＣＫコードブックのフィードバックモードを準静的フィードバックモードとして決定すること、及び／又は、
前記ダウンリンク制御情報をデスクランブルするためのＲＮＴＩが第２ＲＮＴＩである場合、前記端末装置が前記ＨＡＲＱ−ＡＣＫコードブックのフィードバックモードを動的フィードバックモードとして決定することを含む請求項１に記載の方法。
【請求項３】
前記方法は更に、
前記端末装置は前記ネットワーク装置から送信された、ダウンリンク制御情報をデスクランブルするためのＲＮＴＩとＨＡＲＱ−ＡＣＫコードブックのフィードバックモードとの対応関係を示す第１設定情報を受信すること、又は、
前記端末装置は前記端末装置に予め記憶される前記対応関係を取得することを含む請求項２に記載の方法。
【請求項４】
前記端末装置が前記ＨＡＲＱ−ＡＣＫコードブックのフィードバックモードを準静的フィードバックモードとして決定する場合、前記方法は更に、
前記端末装置は前記目標データの前記ＨＡＲＱ−ＡＣＫコードブックに対応するダウンリンク伝送ウィンドウでの位置に基づいて、前記目標データのＨＡＲＱ−ＡＣＫ情報の前記ＨＡＲＱ−ＡＣＫコードブックでの位置を決定することを含む請求項２に記載の方法。
【請求項５】
前記端末装置が前記ＨＡＲＱ−ＡＣＫコードブックのフィードバックモードを動的フィードバックモードとして決定する場合、前記方法は更に、
前記端末装置は前記ダウンリンク制御情報に含まれる前記目標データのダウンリンク割り当てインデックス（ＤＡＩ）に基づいて、前記目標データのＨＡＲＱ−ＡＣＫ情報の前記ＨＡＲＱ−ＡＣＫコードブックでの位置を決定することを含む請求項２に記載の方法。
【請求項６】
前記フィードバックパラメータが前記ＨＡＲＱ−ＡＣＫコードブックのフィードバックリソースを含み、前記端末装置が前記ダウンリンク制御情報に基づいてＨＡＲＱ−ＡＣＫコードブックのフィードバックパラメータを決定することは、
前記端末装置は前記ダウンリンク制御情報と同じＲＮＴＩを使用してデスクランブルするダウンリンク制御情報のうちの最後のダウンリンク制御情報に含まれる、アップリンク制御チャネルを示すための第２設定情報に基づいて、前記ＨＡＲＱ−ＡＣＫコードブックを送信するための前記アップリンク制御チャネルを決定することを含み、
前記端末装置が前記フィードバックパラメータに基づいて前記ネットワーク装置に前記ＨＡＲＱ−ＡＣＫコードブックを送信することは、
前記端末装置が前記アップリンク制御チャネルにおいて前記ネットワーク装置に前記ＨＡＲＱ−ＡＣＫコードブックを送信することを含むことを特徴とする請求項１に記載の方法。
【請求項７】
異なるＲＮＴＩを使用してデスクランブルするダウンリンク制御情報によりスケジューリングするダウンリンクデータのＨＡＲＱ−ＡＣＫ情報は、異なるＨＡＲＱ−ＡＣＫコードブックにある請求項１に記載の方法。
【請求項８】
フィードバック情報の伝送方法であって、
ネットワーク装置は目標データをスケジューリングするためのダウンリンク制御情報を端末装置に送信し、前記ダウンリンク制御情報は前記端末装置がハイブリッド自動再送要求確認応答（ＨＡＲＱ−ＡＣＫ）コードブックのフィードバックパラメータを決定することに用いられ、前記ＨＡＲＱ−ＡＣＫコードブックは前記目標データのＨＡＲＱ−ＡＣＫ情報を含み、前記フィードバックパラメータは前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードは準静的フィードバックモード又は動的フィードバックモードを含むことと、
前記ネットワーク装置は前記端末装置に前記目標データを送信することと、
前記ネットワーク装置は前記端末装置が前記フィードバックパラメータに基づいて送信した前記ＨＡＲＱ−ＡＣＫコードブックを受信することと、を含むフィードバック情報の伝送方法。
【請求項９】
前記フィードバックパラメータが前記ＨＡＲＱ−ＡＣＫコードブックのフィードバックモードを含み、前記方法は更に、
前記ＨＡＲＱ−ＡＣＫコードブックのフィードバックモードが準静的フィードバックモードである場合、前記ネットワーク装置は前記ダウンリンク制御情報をスクランブルするための無線ネットワーク一時的識別子（ＲＮＴＩ）を第１ＲＮＴＩとして決定すること、及び／又は、
前記ＨＡＲＱ−ＡＣＫコードブックのフィードバックモードが動的フィードバックモードである場合、前記ネットワーク装置は前記ダウンリンク制御情報をスクランブルするためのＲＮＴＩを第２ＲＮＴＩとして決定することを含む請求項８に記載の方法。
【請求項１０】
前記方法は更に、
前記ネットワーク装置は、ダウンリンク制御情報をスクランブルするためのＲＮＴＩとＨＡＲＱ−ＡＣＫコードブックのフィードバックモードとの対応関係を示す第１設定情報を前記端末装置に送信することを含む請求項９に記載の方法。
【請求項１１】
前記ネットワーク装置がＨＡＲＱ−ＡＣＫコードブックのフィードバックモードに基づいて前記ダウンリンク制御情報を決定する前に、前記方法は更に、
前記ＨＡＲＱ−ＡＣＫコードブックに対応するダウンリンクデータのデータ量が所定閾値以上である場合、前記ネットワーク装置が前記ＨＡＲＱ−ＡＣＫコードブックのフィードバックモードを準静的フィードバックモードとして決定すること、及び／又は、
前記ＨＡＲＱ−ＡＣＫコードブックに対応するダウンリンクデータのデータ量が前記所定閾値以下である場合、前記ネットワーク装置が前記ＨＡＲＱ−ＡＣＫコードブックのフィードバックモードを動的フィードバックモードとして決定することを含む請求項９に記載の方法。
【請求項１２】
前記ネットワーク装置が、前記端末装置が前記フィードバックパラメータに基づいて送信した前記ＨＡＲＱ−ＡＣＫコードブックを受信することは、
前記ネットワーク装置は前記端末装置が前記準静的フィードバックモードに基づいて送信した、第１ＲＮＴＩを使用してスクランブルするダウンリンク制御情報によりスケジューリングするダウンリンクデータのＨＡＲＱ−ＡＣＫ情報を含む前記ＨＡＲＱ−ＡＣＫコードブックを受信すること、及び／又は、
前記ネットワーク装置は前記端末装置が前記動的フィードバックモードに基づいて送信した、前記第２ＲＮＴＩを使用してスクランブルするダウンリンク制御情報によりスケジューリングするダウンリンクデータのＨＡＲＱ−ＡＣＫ情報を含む前記ＨＡＲＱ−ＡＣＫコードブックを受信することを含む請求項９に記載の方法。
【請求項１３】
前記フィードバックパラメータが前記ＨＡＲＱ−ＡＣＫコードブックのフィードバックリソースを含み、前記方法は更に、
前記ネットワーク装置は前記目標データのサービスタイプに基づいて、前記端末装置が前記ＨＡＲＱ−ＡＣＫコードブックを送信するためのアップリンク制御チャネルを決定することと、
前記ネットワーク装置は前記アップリンク制御チャネルを示すための第２設定情報を前記端末装置に送信し、前記第２設定情報は前記ダウンリンク制御情報と同じＲＮＴＩを使用してスクランブルするダウンリンク制御情報のうちの最後のダウンリンク制御情報に含まれ、前記ネットワーク装置が異なるサービスタイプのダウンリンクデータをスケジューリングするためのダウンリンク制御情報をスクランブルする際に使用するＲＮＴＩは異なることと、を含む請求項８に記載の方法。
【請求項１４】
前記ネットワーク装置が前記目標データのサービスタイプに基づいて、前記端末装置が前記ＨＡＲＱ−ＡＣＫコードブックを送信するためのアップリンク制御チャネルを決定することは、
前記目標データのサービスタイプが超高信頼低遅延（ＵＲＬＬＣ）である場合、前記ネットワーク装置が前記アップリンク制御チャネルを第１アップリンク制御チャネルとして決定すること、及び／又は、
前記目標データのサービスタイプが拡張モバイルブロードバンド（ｅＭＢＢ）である場合、前記ネットワーク装置が前記アップリンク制御チャネルを第２アップリンク制御チャネルとして決定することを含む請求項１３に記載の方法。
【請求項１５】
前記第１アップリンク制御チャネルが時間領域において前記第２アップリンク制御チャネルの前に位置し、及び／又は、前記第１アップリンク制御チャネルのエンコードレートが前記第２アップリンク制御チャネルのエンコードレートより低い請求項１４に記載の方法。
【請求項１６】
前記ネットワーク装置が、前記端末装置が前記フィードバックパラメータに基づいて送信した前記ＨＡＲＱ−ＡＣＫコードブックを受信することは、
前記ネットワーク装置が前記アップリンク制御チャネルにおいて前記端末装置から送信された前記ＨＡＲＱ−ＡＣＫコードブックを受信することを含み、
前記ネットワーク装置が異なるアップリンク制御チャネルにおいて受信したＨＡＲＱ−ＡＣＫコードブックは、異なるＲＮＴＩによりスクランブルするダウンリンク制御情報によりスケジューリングするダウンリンクデータのＨＡＲＱ−ＡＣＫ情報を含む請求項１３に記載の方法。
【請求項１７】
異なるＲＮＴＩを使用してデスクランブルするダウンリンク制御情報によりスケジューリングするダウンリンクデータのＨＡＲＱ−ＡＣＫ情報は異なるＨＡＲＱ−ＡＣＫコードブックにある請求項８に記載の方法。
【請求項１８】
コンピュータ可読記憶媒体であって、コンピュータプログラムを記憶することに用いられ、前記コンピュータプログラムによってコンピュータは、
端末装置がネットワーク装置から送信された、目標データをスケジューリングするためのダウンリンク制御情報を受信するという方法と、
前記端末装置が前記ネットワーク装置から送信された前記目標データを受信するという方法と、
前記端末装置が前記ダウンリンク制御情報に基づいて、ハイブリッド自動再送要求確認応答（ＨＡＲＱ−ＡＣＫ）コードブックのフィードバックパラメータを決定し、前記ＨＡＲＱ−ＡＣＫコードブックが前記目標データのＨＡＲＱ−ＡＣＫ情報を含み、前記フィードバックパラメータが前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むという方法と、
前記端末装置が前記フィードバックパラメータに基づいて、前記ネットワーク装置に前記ＨＡＲＱ−ＡＣＫコードブックを送信するという方法と、を実行し、又は、
前記コンピュータプログラムによってコンピュータは、
ネットワーク装置が目標データをスケジューリングするためのダウンリンク制御情報を端末装置に送信し、前記ダウンリンク制御情報が、前記端末装置がハイブリッド自動再送要求確認応答（ＨＡＲＱ−ＡＣＫ）コードブックのフィードバックパラメータを決定することに用いられ、前記ＨＡＲＱ−ＡＣＫコードブックが前記目標データのＨＡＲＱ−ＡＣＫ情報を含み、前記フィードバックパラメータが前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むという方法と、
前記ネットワーク装置が前記端末装置に前記目標データを送信するという方法と、
前記ネットワーク装置が、前記端末装置が前記フィードバックパラメータに基づいて送信した前記ＨＡＲＱ−ＡＣＫコードブックを受信するという方法と、を実行するコンピュータ可読記憶媒体。
【請求項１９】
前記コンピュータプログラムによってコンピュータは、
前記ダウンリンク制御情報をデスクランブルするためのＲＮＴＩが第１無線ネットワーク一時的識別子（ＲＮＴＩ）である場合、前記端末装置が前記ＨＡＲＱ−ＡＣＫコードブックのフィードバックモードを準静的フィードバックモードとして決定するという方法、及び／又は、
前記ダウンリンク制御情報をデスクランブルするためのＲＮＴＩが第２ＲＮＴＩである場合、前記端末装置が前記ＨＡＲＱ−ＡＣＫコードブックのフィードバックモードを動的フィードバックモードとして決定するという方法を実行する請求項１８に記載のコンピュータ可読記憶媒体。
【請求項２０】
前記コンピュータプログラムによってコンピュータは、
前記ＨＡＲＱ−ＡＣＫコードブックのフィードバックモードが準静的フィードバックモードである場合、前記ネットワーク装置は前記ダウンリンク制御情報をスクランブルするための無線ネットワーク一時的識別子（ＲＮＴＩ）を第１ＲＮＴＩとして決定するという方法、及び／又は、
前記ＨＡＲＱ−ＡＣＫコードブックのフィードバックモードが動的フィードバックモードである場合、前記ネットワーク装置は前記ダウンリンク制御情報をスクランブルするためのＲＮＴＩを第２ＲＮＴＩとして決定するという方法を実行する請求項１８に記載のコンピュータ可読記憶媒体。
【発明の詳細な説明】
【関連出願の相互参照】
【０００１】
本願は、２０１８年０６月２８日に提出した中国特許出願第２０１８１０６８９００８．１号、出願の名称「フィードバック情報の伝送方法、端末装置及びネットワーク装置」の優先権を主張し、その全内容が援用により本願に取り込まれる。
【技術分野】
【０００２】
本願の実施例は通信分野に関し、具体的にフィードバック情報の伝送方法及びコンピュータ可読記憶媒体に関する。
【背景技術】
【０００３】
新無線（ＮＲ、Ｎｅｗ  Ｒａｄｉｏ）システム（５Ｇシステム、５Ｇネットワークとも称される）にハイブリッド自動再送要求確認応答コードブック（ＨＡＲＱ−ＡＣＫ  ｃｏｄｅｂｏｏｋ、Ｈｙｂｒｉｄ  Ａｕｔｏｍａｔｉｃ  Ｒｅｐｅａｔ  ｒｅＱｕｅｓｔ−Ａｃｋｎｏｗｌｅｄｇｅｍｅｎｔ  ｃｏｄｅｂｏｏｋ）の概念が導入されたが、該ＨＡＲＱ−ＡＣＫコードブックは複数のダウンリンクデータのＨＡＲＱ−ＡＣＫ情報を同時にフィードバックすることに用いられる。
【０００４】
関連技術において、ＨＡＲＱ−ＡＣＫコードブックの決定方式は２つあり、即ち、準静的フィードバックモード（ｓｅｍｉ−ｓｔａｔｉｃ）であるタイプ１（Ｔｙｐｅ１）及び動的フィードバックモード（ｄｙｎａｍｉｃ）であるタイプ２（Ｔｙｐｅ２）である。準静的フィードバックモードについて、ＨＡＲＱ−ＡＣＫコードブックのサイズ及びＨＡＲＱ−ＡＣＫコードブックにおける各指示フィールドとダウンリンク物理ダウンリンク共有チャネル（ＰＤＳＣＨ、Ｐｈｙｓｉｃａｌ  Ｄｏｗｎｌｉｎｋ  Ｓｈａｒｅｄ  Ｃｈａｎｎｅｌ）との対応関係はいずれも準静的に決定されたものである。動的フィードバックモードについて、ＨＡＲＱ−ＡＣＫコードブックのサイズ及びＨＡＲＱ−ＡＣＫコードブックにおける各指示フィールドとＰＤＳＣＨとの対応関係はいずれも動的に決定されたものであり、具体的にダウンリンク割り当てインデックス（ＤＡＩ、Ｄｏｗｎｌｉｎｋ  Ａｓｓｉｇｎｍｅｎｔ  Ｉｎｄｅｘ）の指示に依存する。異なるサービスタイプのダウンリンクデータの信頼性要件及び遅延要件等はいずれも異なる。
【発明の概要】
【発明が解決しようとする課題】
【０００５】
本願の実施例は異なるダウンリンクデータのフィードバックを満足することのできるフィードバック情報の伝送方法及びコンピュータ可読記憶媒体を提供する。
【課題を解決するための手段】
【０００６】
第１態様ではフィードバック情報の伝送方法を提供し、
端末装置がネットワーク装置から送信された、目標データをスケジューリングするためのダウンリンク制御情報を受信することと、
前記端末装置が前記ネットワーク装置から送信された前記目標データを受信することと、
前記端末装置が前記ダウンリンク制御情報に基づいて、ハイブリッド自動再送要求確認応答（ＨＡＲＱ−ＡＣＫ）コードブックのフィードバックパラメータを決定し、前記ＨＡＲＱ−ＡＣＫコードブックが前記目標データのＨＡＲＱ−ＡＣＫ情報を含み、前記フィードバックパラメータが前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むことと、
前記端末装置が前記フィードバックパラメータに基づいて、前記ネットワーク装置に前記ＨＡＲＱ−ＡＣＫコードブックを送信することと、を含む。
【０００７】
第２態様ではフィードバック情報の伝送方法を提供し、
ネットワーク装置は目標データをスケジューリングするためのダウンリンク制御情報を端末装置に送信し、前記ダウンリンク制御情報は前記端末装置がハイブリッド自動再送要求確認応答（ＨＡＲＱ−ＡＣＫ）コードブックのフィードバックパラメータを決定することに用いられ、前記ＨＡＲＱ−ＡＣＫコードブックは前記目標データのＨＡＲＱ−ＡＣＫ情報を含み、前記フィードバックパラメータは前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードは準静的フィードバックモード又は動的フィードバックモードを含むことと、
前記ネットワーク装置は前記端末装置に前記目標データを送信することと、
前記ネットワーク装置は前記端末装置が前記フィードバックパラメータに基づいて送信した前記ＨＡＲＱ−ＡＣＫコードブックを受信することと、を含む。
【０００８】
第３態様ではコンピュータ可読記憶媒体を提供し、コンピュータプログラムを記憶することに用いられ、前記コンピュータプログラムによってコンピュータは、
端末装置がネットワーク装置から送信された、目標データをスケジューリングするためのダウンリンク制御情報を受信するという方法と、
前記端末装置が前記ネットワーク装置から送信された前記目標データを受信するという方法と、
前記端末装置が前記ダウンリンク制御情報に基づいて、ハイブリッド自動再送要求確認応答（ＨＡＲＱ−ＡＣＫ）コードブックのフィードバックパラメータを決定し、前記ＨＡＲＱ−ＡＣＫコードブックが前記目標データのＨＡＲＱ−ＡＣＫ情報を含み、前記フィードバックパラメータが前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むという方法と、
前記端末装置が前記フィードバックパラメータに基づいて、前記ネットワーク装置に前記ＨＡＲＱ−ＡＣＫコードブックを送信するという方法と、を実行し、又は、
前記コンピュータプログラムによってコンピュータは、
ネットワーク装置が目標データをスケジューリングするためのダウンリンク制御情報を端末装置に送信し、前記ダウンリンク制御情報が、前記端末装置がハイブリッド自動再送要求確認応答（ＨＡＲＱ−ＡＣＫ）コードブックのフィードバックパラメータを決定することに用いられ、前記ＨＡＲＱ−ＡＣＫコードブックが前記目標データのＨＡＲＱ−ＡＣＫ情報を含み、前記フィードバックパラメータが前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むという方法と、
前記ネットワーク装置が前記端末装置に前記目標データを送信するという方法と、
前記ネットワーク装置が、前記端末装置が前記フィードバックパラメータに基づいて送信した前記ＨＡＲＱ−ＡＣＫコードブックを受信するという方法と、を実行する。
【図面の簡単な説明】
【０００９】
【図１】図１は本願の実施例に適用される可能な無線通信システムの模式図である。
【図２】図２はＨＡＲＱ−ＡＣＫコードブックの動的フィードバックモードの模式図である。
【図３】図３はＨＡＲＱ−ＡＣＫコードブックの準静的フィードバックモードの模式図である。
【図４】図４は本願の実施例のフィードバック情報の伝送方法のフローチャートである。
【図５】図５は本願の実施例の準静的フィードバックモードでＨＡＲＱ−ＡＣＫコードブックを送信する模式図である。
【図６】図６は本願の実施例の動的フィードバックモードでＨＡＲＱ−ＡＣＫコードブックを送信する模式図である。
【図７】図７は本願の実施例のＨＡＲＱ−ＡＣＫコードブックを伝送するＰＵＣＣＨの模式図である。
【図８】図８は本願の実施例の異なるサービスタイプのデータのＨＡＲＱ−ＡＣＫコードブックの伝送模式図である。
【図９】図９は本願の実施例の端末装置の模式的なブロック図である。
【図１０】図１０は本願の実施例のネットワーク装置の模式的なブロック図である。
【図１１】図１１は本願の実施例の通信装置の構造模式図である。
【図１２】図１２は本願の実施例のチップの構造模式図である。
【図１３】図１３は本願の実施例の通信システムの模式的なブロック図である。
【発明を実施するための形態】
【００１０】
以下、本願の実施例の図面を参照しながら、本願の実施例の技術案を説明し、明らかに、説明される実施例は本願の実施例の一部であり、実施例の全部ではない。本願の実施例に基づいて、当業者が進歩性のある労働を必要とせずに取得する他の実施例は、いずれも本願の保護範囲に属する。
【００１１】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）システム、進化型ロングタームエボリューション（ＬＴＥ−Ａ、Ａｄｖａｎｃｅｄ  ｌｏｎｇ  ｔｅｒｍ  ｅｖｏｌｕｔｉｏｎ）システム、新無線（ＮＲ、Ｎｅｗ  Ｒａｄｉｏ）システム、ＮＲシステムの進化したシステム、アンライセンススペクトラムにおけるＬＴＥ（ＬＴＥ−Ｕ、ＬＴＥ−ｂａｓｅｄ  ａｃｃｅｓｓ  ｔｏ  ｕｎｌｉｃｅｎｓｅｄ  ｓｐｅｃｔｒｕｍ）システム、アンライセンススペクトラムにおけるＮＲ（ＮＲ−Ｕ、ＮＲ−ｂａｓｅｄ  ａｃｃｅｓｓ  ｔｏ  ｕｎｌｉｃｅｎｓｅｄ  ｓｐｅｃｔｒｕｍ）システム、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、無線ローカルエリアネットワーク（ＷＬＡＮ、Ｗｉｒｅｌｅｓｓ  Ｌｏｃａｌ  Ａｒｅａ  Ｎｅｔｗｏｒｋｓ）、ワイヤレスフィデリティ（ＷｉＦｉ、Ｗｉｒｅｌｅｓｓ  Ｆｉｄｅｌｉｔｙ）、次世代通信システム又は他の通信システム等に適用されてもよい。
【００１２】
一般的に、従来の通信システムはサポートする接続数が限られたし、実現されやすいが、通信技術の発展に伴い、移動通信システムは従来の通信をサポートするだけでなく、更に例えば端末間（Ｄ２Ｄ、Ｄｅｖｉｃｅ  ｔｏ  Ｄｅｖｉｃｅ）通信、マシン対マシン（Ｍ２Ｍ、Ｍａｃｈｉｎｅ  ｔｏ  Ｍａｃｈｉｎｅ）通信、マシンタイプ通信（ＭＴＣ、Ｍａｃｈｉｎｅ  Ｔｙｐｅ  Ｃｏｍｍｕｎｉｃａｔｉｏｎ）、及び車車間（Ｖ２Ｖ、Ｖｅｈｉｃｌｅ  ｔｏ  Ｖｅｈｉｃｌｅ）通信等をサポートすることとなり、本願の実施例はこれらの通信システムにも適用されてもよい。
【００１３】
選択肢として、本願の実施例の通信システムはキャリアアグリゲーション（ＣＡ、Ｃａｒｒｉｅｒ  Ａｇｇｒｅｇａｔｉｏｎ）シーンに適用されてもよく、デュアル接続（ＤＣ、Ｄｕａｌ  Ｃｏｎｎｅｃｔｉｖｉｔｙ）シーンに適用されてもよく、スタンドアロン（ＳＡ、Ｓｔａｎｄａｌｏｎｅ）ネットワーキングシーンに適用されてもよい。
【００１４】
例示的なものとして、本願の実施例に適用される通信システム１００は図１に示される。無線通信システム１００はネットワーク装置１１０を備えてもよい。ネットワーク装置１１０は端末装置と通信する装置であってもよい。ネットワーク装置１１０は特定の地理的領域に通信カバレッジを提供することができ、且つ該カバレッジ領域内の端末装置と通信することができる。選択肢として、該ネットワーク装置１００はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、ＮＲシステムにおけるネットワーク側装置であってもよく、クラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよい。又は、該ネットワーク装置は中継局、アクセスポイント、車載装置、ウェアラブル端末、次世代ネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００１５】
無線通信システム１００は更にネットワーク装置１１０のカバレッジ範囲内の少なくとも１つの端末装置１２０を備える。ここで使用される「端末装置」は有線回線により接続されるもの、例えば公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋｓ）、デジタル加入者線（ＤＳＬ、Ｄｉｇｉｔａｌ  Ｓｕｂｓｃｒｉｂｅｒ  Ｌｉｎｅ）、デジタルケーブル、直接ケーブルを介して接続されるもの、及び／又は他のデータ接続／ネットワーク、及び／又は無線インターフェース、例えばセルラーネットワーク、無線ローカルエリアネットワーク（ＷＬＡＮ、Ｗｉｒｅｌｅｓｓ  Ｌｏｃａｌ  Ａｒｅａ  Ｎｅｔｗｏｒｋ）例えばＤＶＢ−Ｈネットワークのデジタルテレビネットワーク、衛星ネットワーク、ＡＭ−ＦＭ放送機を介するもの、及び／又は他の端末装置における通信信号を送受信するように設定される装置、及び／又はモノのインターネット（ＩｏＴ、Ｉｎｔｅｒｎｅｔ  ｏｆ  Ｔｈｉｎｇｓ）装置を含むが、それらに限らない。無線インターフェースを介して通信するように設定される端末装置は「無線通信端末」「無線端末」又は「携帯端末」と称されてもよい。
【００１６】
端末装置１２０は可動又は固定であってもよい。選択肢として、端末装置１２０とはアクセス端末、ユーザー装置（ＵＥ、Ｕｓｅｒ  Ｅｑｕｉｐｍｅｎｔ）、ユーザー要素、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展するＰＬＭＮにおける端末装置等であってもよい。選択肢として、端末装置１２０同士は装置対装置（Ｄ２Ｄ、Ｄｅｖｉｃｅ  ｔｏ  Ｄｅｖｉｃｅ）通信を行うことができる。
【００１７】
具体的に、ネットワーク装置１１０はセルにサービスを提供することができる。端末装置１２０は該セルに使用される伝送リソース（例えば、周波数領域リソース又はスペクトルリソース）によりネットワーク装置１１０と通信する。該セルはネットワーク装置１１０（例えば、基地局）に対応するセルであってもよく、セルはマクロ基地局に属してもよく、スモールセル（Ｓｍａｌｌ  ｃｅｌｌ）に対応する基地局に属してもよい。ここのスモールセルはメトロセル（Ｍｅｔｒｏ  ｃｅｌｌ）、マイクロセル（Ｍｉｃｒｏ  ｃｅｌｌ）、ピコセル（Ｐｉｃｏ  ｃｅｌｌ）、フェムトセル（Ｆｅｍｔｏ  ｃｅｌｌ）等を含んでもよく、これらのスモールセルはカバレッジ範囲が狭く、送信電力が低いという特徴を有し、高速度のデータ伝送サービスを提供することに適する。
【００１８】
図１には１つのネットワーク装置及び２つの端末装置を例示する。選択肢として、該無線通信システム１００は複数のネットワーク装置を備えてもよく、且つ各ネットワーク装置のカバレッジ範囲内に他の数の端末装置が含まれてもよく、本願の実施例は制限しない。
【００１９】
選択肢として、該無線通信システム１００は更にネットワークコントローラ、モビリティ管理エンティティ等の他のネットワークエンティティを備えてもよく、本願の実施例は制限しない。
【００２０】
なお、端末装置はＨＡＲＱ−ＡＣＫコードブックによって複数のダウンリンクデータのＨＡＲＱ−ＡＣＫ情報をネットワーク装置に同時にフィードバックしてもよい。準静的フィードバックモードにおいて、ＨＡＲＱ−ＡＣＫコードブックのサイズ及びＨＡＲＱ−ＡＣＫコードブックにおける各指示フィールドとダウンリンクデータ（又は、ダウンリンク伝送、ＰＤＳＣＨ）との対応関係は、いずれも準静的に決定されたものである。動的フィードバックモードについて、ＨＡＲＱ−ＡＣＫコードブックのサイズ及びＨＡＲＱ−ＡＣＫコードブックにおける各指示フィールドとダウンリンクデータ（又は、ダウンリンク伝送、ＰＤＳＣＨ）との対応関係は、いずれも動的に決定されたものであり、具体的にＤＡＩの指示に依存する。準静的フィードバックモードを使用するとき、ＤＡＩの指示に依存しないため、ネットワーク装置と端末装置との理解が一致しない問題がないが、ＨＡＲＱ−ＡＣＫコードブックのサイズが一定であるため、ダウンリンクデータの伝送量が比較的少ない場合、フィードバックリソースが浪費される問題がある。そして、動的フィードバックモードについて、ＨＡＲＱ−ＡＣＫコードブックのサイズがデータ伝送状況に応じて変化するが、端末装置がダウンリンク制御チャネルを成功に検出していない場合、ネットワーク装置と端末装置との理解が一致しない問題がある。
【００２１】
また、端末装置がＨＡＲＱ−ＡＣＫコードブックによって複数のダウンリンクデータのＨＡＲＱ−ＡＣＫ情報を同時にフィードバックし、且つこれらのダウンリンクデータのＨＡＲＱ−ＡＣＫ情報に対する信頼性及び遅延等の要件が異なる場合、該ＨＡＲＱ−ＡＣＫコードブックは各ダウンリンクデータのフィードバックニーズを同時に満足することができない。
【００２２】
例えば、図２は準静的フィードバックモードにおけるＨＡＲＱ−ＡＣＫコードブックの伝送模式図である。該ＨＡＲＱ−ＡＣＫコードブックに対応するダウンリンク伝送ウィンドウに６つのダウンリンク伝送リソースが含まれ、１番目の伝送リソース、２番目の伝送リソース、３番目の伝送リソース及び６番目の伝送リソースにおいて、ダウンリンクデータがあり、且つこれらの４つの伝送リソースにおけるダウンリンクデータのＨＡＲＱ−ＡＣＫ情報は順に肯定応答（ＡＣＫ、Ａｃｋｎｏｗｌｅｄｇｅｍｅｎｔ）１、否定応答（ＮＡＣＫ、Ｎｅｇａｔｉｖｅ  Ａｃｋｎｏｗｌｅｄｇｅｍｅｎｔ）１、ＮＡＣＫ２、ＡＣＫ３及びＡＣＫ６であるが、該ダウンリンク伝送ウィンドウにおける４番目の伝送リソース及び５番目の伝送リソースにおいて、ダウンリンクデータがなく、それぞれ間欠送信（ＤＴＸ、Ｄｉｓｃｏｎｔｉｎｕｏｕｓ  Ｔｒａｎｓｍｉｓｓｉｏｎ）４及びＤＴＸ５と記される。端末装置は物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）１においてＨＡＲＱ−ＡＣＫコードブックを送信してもよく、該ＨＡＲＱ−ＡＣＫコードブックに６つの指示フィールドが含まれ、順に上記６つの伝送リソースにおけるダウンリンクデータのＨＡＲＱ−ＡＣＫ情報に対応する。１でＡＣＫを示し、０でＮＡＣＫを示すと仮定すれば、該ＨＡＲＱ−ＡＣＫコードブックが１０１××１であり、「×」がプレースホルダを示し、４番目の伝送リソース及び５番目の伝送リソースにおいてＨＡＲＱ−ＡＣＫ情報がないことを示す。
【００２３】
なお、準静的フィードバックモードにおけるＨＡＲＱ−ＡＣＫコードブックのサイズは一定である。現在のデータ量が比較的少なく、例えば該ＨＡＲＱ−ＡＣＫコードブックに対応するダウンリンク伝送ウィンドウにおける３番目の伝送リソースのみにおいて、ダウンリンクデータがあるが、他の伝送リソースにおいていずれもダウンリンクデータがない場合、依然として６ビットのＨＡＲＱ−ＡＣＫコードブックをフィードバックすることとなり、それにより不要なビットオーバーヘッドを増加させてしまう。
【００２４】
また、例えば、図３は動的フィードバックモードにおけるＨＡＲＱ−ＡＣＫコードブックの伝送模式図であり、該ＨＡＲＱ−ＡＣＫコードブックに２つのサービスタイプのダウンリンクデータのＨＡＲＱ−ＡＣＫ情報が含まれる。拡張モバイルブロードバンド（ｅＭＢＢ、Ｅｎｈａｎｃｅ  Ｍｏｂｉｌｅ  Ｂｒｏａｄｂａｎｄ）タイプのデータは遅延要件が比較的低いが、超高信頼低遅延（ＵＲＬＬＣ、Ｕｌｔｒａ−Ｒｅｌｉａｂｌｅ＆Ｌｏｗ  Ｌａｔｅｎｃｙ）タイプのデータは遅延要件が比較的高く、信頼性要件が比較的高い。ダウンリンク制御情報（ＤＣＩ、Ｄｏｗｎｌｏａｄ  Ｃｏｎｔｒｏｌ  Ｉｎｆｏｒｍａｔｉｏｎ）には各ダウンリンクデータに対応するＤＡＩが含まれ、該ＤＡＩはこれらの６つのダウンリンクデータのＨＡＲＱ−ＡＣＫ情報のＨＡＲＱ−ＡＣＫコードブックでの順序を示すことに用いられてもよい。例えば、ＤＡＩ＝１は該データのＨＡＲＱ−ＡＣＫ情報が同じＰＵＣＣＨにおいてフィードバックしたＨＡＲＱ−ＡＣＫ情報のうちの１番目のＨＡＲＱ−ＡＣＫ情報であることを示し、ＤＡＩ＝２は該データのＨＡＲＱ−ＡＣＫ情報が該同じＰＵＣＣＨにおいてフィードバックしたＨＡＲＱ−ＡＣＫ情報のうちの２番目のＨＡＲＱ−ＡＣＫ情報であることを示す。ＤＡＩ＝１のダウンリンクデータのＨＡＲＱ−ＡＣＫ情報は、該ＰＵＣＣＨにおいて送信されるＨＡＲＱ−ＡＣＫコードブックにおける１番目の指示フィールドで示され、ＤＡＩ＝２のダウンリンクデータのＨＡＲＱ−ＡＣＫ情報は、該ＰＵＣＣＨにおいて送信される該ＨＡＲＱ−ＡＣＫコードブックにおける２番目の指示フィールドで示され、以下同様である。該ＨＡＲＱ−ＡＣＫコードブックがＰＵＣＣＨ２において伝送される場合、ＵＲＬＬＣタイプのデータの遅延要件を満足できない恐れがある。また、ＵＲＬＬＣタイプのデータのＨＡＲＱ−ＡＣＫ情報のフィードバックは比較的高い信頼性を必要とするため、ＰＵＣＣＨ２において該ＨＡＲＱ−ＡＣＫコードブックを伝送するとき、比較的低いコードレートを設定する必要があるが、ｅＭＢＢタイプのデータにとって浪費となり、そして、ＰＵＣＣＨ２におけるコードレートを比較的高く設定すれば、ＵＲＬＬＣタイプのデータの信頼性ニーズを満足できない。
【００２５】
従って、本願の実施例は、ネットワーク装置がダウンリンク制御情報によって、ＨＡＲＱ−ＡＣＫコードブックをフィードバックするための使用対象のフィードバックパラメータを端末装置に柔軟に示してもよく、端末装置がダウンリンク制御情報を受信した後、該ダウンリンク制御情報に基づいて、該ＨＡＲＱ−ＡＣＫコードブックを送信するために使用したフィードバックパラメータを取得してもよいという解決案を提供する。これにより、リソースの浪費を引き起こすことなく、異なるダウンリンクデータのフィードバックニーズを満足する。
【００２６】
図４は本願の実施例のフィードバック情報の伝送方法の模式的なフローチャートである。図４に記載の方法は端末装置及びネットワーク装置により実行されてもよく、該端末装置は例えば図１に示される端末装置１２０であってもよく、該ネットワーク装置は例えば図１に示されるネットワーク装置１１０であってもよい。図４に示すように、該フィードバック情報の伝送方法４００は以下のステップの一部又は全部を含んでもよい。
【００２７】
４１０において、ネットワーク装置は目標データをスケジューリングするためのダウンリンク制御情報を端末装置に送信する。
【００２８】
該ダウンリンク制御情報は端末装置がハイブリッド自動再送要求確認応答（ＨＡＲＱ−ＡＣＫ）コードブックのフィードバックパラメータを決定することに用いられる。
【００２９】
該ＨＡＲＱ−ＡＣＫコードブックは該目標データのＨＡＲＱ−ＡＣＫ情報を含み、該フィードバックパラメータは該ＨＡＲＱ−ＡＣＫコードブックのフィードバックモード、及び／又は該ＨＡＲＱ−ＡＣＫコードブックを送信するためのフィードバックリソースを含み、該ＨＡＲＱ−ＡＣＫコードブックのフィードバックモードは準静的フィードバックモード又は動的フィードバックモードを含む。
【００３０】
４２０において、端末装置はネットワーク装置から送信された該ダウンリンク制御情報を受信する。
【００３１】
４３０において、ネットワーク装置は端末装置に該目標データを送信する。
【００３２】
４４０において、端末装置はネットワーク装置から送信された該目標データを受信する。
【００３３】
４５０において、端末装置は該ダウンリンク制御情報に基づいて、該ＨＡＲＱ−ＡＣＫコードブックのフィードバックパラメータを決定する。
【００３４】
４６０において、端末装置は該フィードバックパラメータに基づいて、ネットワーク装置に該ＨＡＲＱ−ＡＣＫコードブックを送信する。
【００３５】
４７０において、ネットワーク装置は端末装置が該フィードバックパラメータに基づいて送信した該ＨＡＲＱ−ＡＣＫコードブックを受信する。
【００３６】
具体的に、ネットワーク装置が端末装置に目標データを送信した後、端末装置は該目標データのＨＡＲＱ−ＡＣＫ情報をネットワーク装置にフィードバックする必要がある。端末装置はあるフィードバックモードを使用してフィードバックリソースにおいて、ＨＡＲＱ−ＡＣＫコードブックによって該目標データのＨＡＲＱ−ＡＣＫ情報をネットワーク装置にフィードバックしてもよい。該ＨＡＲＱ−ＡＣＫコードブックに少なくとも１つの指示フィールドが含まれてもよく、この少なくとも１つの指示フィールドは、それぞれ目標データを含める少なくとも１つのダウンリンクデータのＨＡＲＱ−ＡＣＫ情報を示すことに用いられ、それにより少なくとも１つのダウンリンクデータのＨＡＲＱ−ＡＣＫ情報を同時にフィードバックする。端末装置は該目標データをスケジューリングするダウンリンク制御情報に基づいて、該ＨＡＲＱ−ＡＣＫコードブックを送信するためのフィードバックパラメータを決定してもよく、該フィードバックパラメータは、該ＨＡＲＱ−ＡＣＫコードブックのフィードバックモード及び／又は該ＨＡＲＱ−ＡＣＫコードブックのフィードバックリソースを含んでもよい。ネットワーク装置は、端末装置に該ＨＡＲＱ−ＡＣＫコードブックのフィードバックモード及び／又はフィードバックリソースを設定した後、ダウンリンク制御情報によって該フィードバックモード及び／又は該フィードバックリソースを端末装置に示してもよい。それにより、端末装置は検出されたダウンリンク制御情報に基づいて、どのフィードバックモードを使用するか及び／又はどのフィードバックリソースにおいてネットワーク装置に該ＨＡＲＱ−ＡＣＫコードブックを送信するかを把握することができる。
【００３７】
選択肢として、端末装置が該ＨＡＲＱ−ＡＣＫコードブックのフィードバックモードを準静的フィードバックモードとして決定する場合、該方法は更に、端末装置が該目標データの該ＨＡＲＱ−ＡＣＫコードブックに対応する伝送ウィンドウでの位置に基づいて、該目標データのＨＡＲＱ−ＡＣＫ情報の該ＨＡＲＱ−ＡＣＫコードブックでの位置を決定することを含む。
【００３８】
選択肢として、端末装置が該ＨＡＲＱ−ＡＣＫコードブックのフィードバックモードを動的フィードバックモードとして決定する場合、該方法は更に、端末装置は該ダウンリンク制御情報に含まれる該目標データのＤＡＩに基づいて、該目標データのＨＡＲＱ−ＡＣＫ情報の該ＨＡＲＱ−ＡＣＫコードブックでの位置を決定することを含む。
【００３９】
いくつかの実施例では、準静的フィードバックモードについて、ＨＡＲＱ−ＡＣＫコードブックは１つのダウンリンク伝送ウィンドウに対応してもよく、該ＨＡＲＱ−ＡＣＫコードブックに少なくとも１つの指示フィールドが含まれ、且つ該ダウンリンク伝送ウィンドウには該少なくとも１つの指示フィールドに１対１に対応する少なくとも１つの伝送リソースが含まれる。該ＨＡＲＱ−ＡＣＫコードブックにおける各指示フィールドは、対応する伝送リソースにおいて送信されるダウンリンクデータのＨＡＲＱ−ＡＣＫ情報を示すことに用いられる。そして、動的フィードバックモードについて、該ＨＡＲＱ−ＡＣＫコードブックにおける少なくとも１つの指示フィールドは、それぞれ少なくとも１つのダウンリンクデータのフィードバック情報を示すことに用いられ、各ダウンリンクデータに対応するダウンリンク制御情報に該ダウンリンクデータのＤＡＩが含まれ、該ＤＡＩは該ダウンリンクデータのＨＡＲＱ−ＡＣＫ情報の該ＨＡＲＱ−ＡＣＫコードブックでの位置を示すことに用いられる。例えば、ＤＡＩ＝１は該データのＨＡＲＱ−ＡＣＫ情報が該ＨＡＲＱ−ＡＣＫコードブックにおける１番目の指示フィールドにおいて示されることを示し、ＤＡＩ＝２は該データのＨＡＲＱ−ＡＣＫ情報が該ＨＡＲＱ−ＡＣＫコードブックにおける２番目の指示フィールドにおいて示されることを示す。
【００４０】
理解されるように、図４に示される番号の順位は実行順序の順位を意味しない。例えば、４２０が４４０の前に実行され、即ちダウンリンク制御情報の検出を完了してから目標データを検出してもよい。又は、４２０と４４０は同時に実行され、例えば端末装置がダウンリンク制御情報の検出を完了してから目標データを検出するとは限らず、ダウンリンク制御情報の検出過程において該目標データの検出を始めてもよい。
【００４１】
該ネットワーク装置はダウンリンク制御情報によって、該フィードバックパラメータを端末装置に直接で明示的に示してもよく、例えば該ダウンリンク制御情報に該フィードバックパラメータが含まれる。例えば、該ネットワーク装置はダウンリンク制御情報によって該フィードバックパラメータを端末装置に暗示的に示してもよく、以下に具体的に説明する。
【００４２】
いくつかの実施例では、該フィードバックパラメータは、ＨＡＲＱ−ＡＣＫコードブックのフィードバックモードを含んでもよく、ＨＡＲＱ−ＡＣＫコードブックのフィードバックリソースを含んでもよく、該フィードバックモードと該フィードバックリソースを同時に含んでもよく、以下に具体的に説明する。
【００４３】
状況１
該フィードバックパラメータは該ＨＡＲＱ−ＡＣＫコードブックのフィードバックモードを含む。
【００４４】
選択肢として、該方法は更に、ネットワーク装置は該ＨＡＲＱ−ＡＣＫコードブックのフィードバックパラメータに基づいて、該ダウンリンク制御情報をスクランブルするためのＲＮＴＩを決定することを含む。
【００４５】
例えば、該ＨＡＲＱ−ＡＣＫコードブックのフィードバックモードが準静的フィードバックモードである場合、ネットワーク装置は該ダウンリンク制御情報をスクランブルするための無線ネットワーク一時的識別子（ＲＮＴＩ、Ｒａｄｉｏ  Ｎｅｔｗｏｒｋ  Ｔｅｍｐｏｒａｒｙ  Ｉｄｅｎｔｉｔｙ）を第１ＲＮＴＩとして決定し、及び／又は、該ＨＡＲＱ−ＡＣＫコードブックのフィードバックモードが動的フィードバックモードである場合、ネットワーク装置は該ダウンリンク制御情報をスクランブルするためのＲＮＴＩを第２ＲＮＴＩとして決定する。
【００４６】
それに対応して、４５０では、該ダウンリンク制御情報をデスクランブルするためのＲＮＴＩが第１ＲＮＴＩである場合、端末装置は該ＨＡＲＱ−ＡＣＫコードブックのフィードバックモードを準静的フィードバックモードとして決定し、及び／又は、該ダウンリンク制御情報をデスクランブルするためのＲＮＴＩが第２ＲＮＴＩである場合、端末装置は該ＨＡＲＱ−ＡＣＫコードブックのフィードバックモードを動的フィードバックモードとして決定する。
【００４７】
そして、選択肢として、４７０では、ネットワーク装置は端末装置が準静的フィードバックモードに基づいて送信したＨＡＲＱ−ＡＣＫコードブックを受信してもよく、且つ該ＨＡＲＱ−ＡＣＫコードブックは第１ＲＮＴＩを使用してスクランブルするダウンリンク制御情報によりスケジューリングするダウンリンクデータのＨＡＲＱ−ＡＣＫ情報を含み、及び／又は、ネットワーク装置は端末装置が動的フィードバックモードに基づいて送信したＨＡＲＱ−ＡＣＫコードブックを受信してもよく、且つ該ＨＡＲＱ−ＡＣＫコードブックは第２ＲＮＴＩを使用してスクランブルするダウンリンク制御情報によりスケジューリングするダウンリンクデータのＨＡＲＱ−ＡＣＫ情報を含む。
【００４８】
すなわち、ネットワーク装置が端末装置のために選択したＨＡＲＱ−ＡＣＫコードブックのフィードバックモードは異なり、ネットワーク装置が該ダウンリンク制御情報をスクランブルする巡回冗長検査（ＣＲＣ、Ｃｙｃｌｉｃ  Ｒｅｄｕｎｄａｎｃｙ  Ｃｈｅｃｋ）を行う際に使用したＲＮＴＩも異なる。該ＨＡＲＱ−ＡＣＫコードブックのフィードバックモードが準静的フィードバックモードである場合、ネットワーク装置は第１ＲＮＴＩを使用して該ダウンリンク制御情報のＣＲＣをスクランブルすることとなり、端末装置は該目標データをスケジューリングするための該ダウンリンク制御情報を受信した後、該ダウンリンク制御情報をデスクランブルするためのＲＮＴＩが第１ＲＮＴＩであることを発見することとなり、そうすると準静的フィードバックモードを使用してネットワーク装置に該ＨＡＲＱ−ＡＣＫコードブックを送信する。該ＨＡＲＱ−ＡＣＫコードブックのフィードバックモードが動的フィードバックモードである場合、ネットワーク装置は第２ＲＮＴＩを使用して該ダウンリンク制御情報のＣＲＣをスクランブルすることとなり、端末装置は該目標データをスケジューリングするための該ダウンリンク制御情報を受信した後、該ダウンリンク制御情報をデスクランブルするためのＲＮＴＩが第２ＲＮＴＩであることを発見することとなり、そうすると動的フィードバックモードを使用してネットワーク装置に該ＨＡＲＱ−ＡＣＫコードブックを送信する。
【００４９】
ネットワーク装置は例えば、ダウンリンク制御情報をスクランブルするためのＲＮＴＩとＨＡＲＱ−ＡＣＫコードブックのフィードバックモードとの対応関係を示す第１設定情報を端末装置に送信してもよく、端末装置はネットワーク装置から送信された該第１設定情報を受信した後、その中から該対応関係を取得してもよい。
【００５０】
当然ながら、該対応関係はプロトコルにより決められたものであってもよく、端末装置は該端末装置に予め記憶される該対応関係を取得してもよい。
【００５１】
該第１設定情報は例えば上位層シグナリングであってもよい。ダウンリンク制御情報をスクランブルするためのＲＮＴＩとＨＡＲＱ−ＡＣＫコードブックのフィードバックモードとの該対応関係は例えば表１に示されてもよい。
【００５２】
【表１】
2021526765.tif 000003
【００５３】
選択肢として、ネットワーク装置が該ＨＡＲＱ−ＡＣＫコードブックのフィードバックモードに基づいて該ダウンリンク制御情報を決定する前に、該方法は更に、ネットワーク装置がダウンリンクデータのデータ量のサイズに基づいて、該ＨＡＲＱ−ＡＣＫコードブックのフィードバックモードを決定することを含む。
【００５４】
例えば、該ＨＡＲＱ−ＡＣＫコードブックに対応するダウンリンクデータのデータ量が所定閾値以上である場合、ネットワーク装置は該ＨＡＲＱ−ＡＣＫコードブックのフィードバックモードを準静的フィードバックモードとして決定し、及び／又は、該ＨＡＲＱ−ＡＣＫコードブックに対応するダウンリンクデータのデータ量が該所定閾値以下である場合、ネットワーク装置は該ＨＡＲＱ−ＡＣＫコードブックのフィードバックモードを動的フィードバックモードとして決定する。
【００５５】
又は、ダウンリンクデータ量が所定閾値以上である場合、ネットワーク装置は前記ダウンリンク制御情報をスクランブルするＲＮＴＩを第１ＲＮＴＩとして決定し、及び／又は、ダウンリンクデータ量が該所定閾値以下である場合、ネットワーク装置は該ダウンリンク制御情報をスクランブルするＲＮＴＩを第２ＲＮＴＩとして決定する。
【００５６】
例えば、図５に示すように、図５は準静的フィードバックモードを使用してＨＡＲＱ−ＡＣＫコードブックを送信する模式図である。該ＨＡＲＱ−ＡＣＫコードブックに対応するダウンリンクデータのデータ量が比較的大きく、該ＨＡＲＱ−ＡＣＫコードブックに対応するダウンリンク伝送ウィンドウに６つのダウンリンク伝送リソースが含まれ、１番目の伝送リソース、２番目の伝送リソース、３番目の伝送リソース、４番目の伝送リソース及び６番目の伝送リソースにおいていずれもダウンリンクデータがあり、且つこれらの５つの伝送リソースにおけるダウンリンクデータのＨＡＲＱ−ＡＣＫ情報は順にＡＣＫ１、ＮＡＣＫ２、ＡＣＫ３、ＡＣＫ４及びＡＣＫ６であるが、該伝送ウィンドウにおける５番目の伝送リソースにおいてダウンリンクデータがなく、ＤＴＸ５と記される。端末装置はＰＵＣＣＨ１においてＨＡＲＱ−ＡＣＫコードブックを送信してもよく、該ＨＡＲＱ−ＡＣＫコードブックに６つの指示フィールドが含まれ、順に上記６つの伝送リソースにおけるダウンリンクデータのＨＡＲＱ−ＡＣＫ情報を示すことに用いられる。１でＡＣＫを示し、０でＮＡＣＫを示すと仮定すれば、該ＨＡＲＱ−ＡＣＫコードブックが１０１１×１であってもよく、「×」がプレースホルダを示し、５番目の伝送リソースにおいてダウンリンクデータがないためＨＡＲＱ−ＡＣＫ情報をフィードバックする必要がないことを示す。
【００５７】
なお、該ＨＡＲＱ−ＡＣＫコードブックに対応するダウンリンクデータのデータ量が比較的小さい場合、該ＨＡＲＱ−ＡＣＫコードブックに対応するダウンリンク伝送ウィンドウにおける３番目の伝送リソースのみにおいてダウンリンクデータがあるが、他の伝送リソースにおいていずれもダウンリンクデータがない。この時、準静的フィードバックモードを使用する場合、６ビットのＨＡＲＱ−ＡＣＫコードブックをフィードバックする必要があり、このため、不要なビットオーバーヘッドを増加させてしまう。従って、図６に示すように、図６は動的フィードバックモードを使用してＨＡＲＱ−ＡＣＫコードブックを送信する模式図である。この時、端末装置は動的フィードバックモードを用いて、ネットワーク装置に１ビットのＨＡＲＱ−ＡＣＫコードブックを送信してもよく、それによりビットオーバーヘッドを低減させる。
【００５８】
図５及び図６から分かるように、ネットワーク装置は端末装置のために該ＨＡＲＱ−ＡＣＫコードブックの送信に使用するフィードバックモードを選択するとき、必要に応じてＨＡＲＱ−ＡＣＫ情報のダウンリンクデータのデータ量のサイズをフィードバックしてもよい。データ量が比較的大きい場合、第１ＲＮＴＩを使用してダウンリンク制御情報をスクランブルし、それにより端末装置は該ダウンリンク制御情報をデスクランブルした後、準静的フィードバックモードを使用して該ＨＡＲＱ−ＡＣＫコードブックを送信することを把握できる。データ量が比較的小さい場合、第２ＲＮＴＩを使用してダウンリンク制御情報をスクランブルし、それにより端末装置は該ダウンリンク制御情報をデスクランブルした後、動的フィードバックモードを使用して該ＨＡＲＱ−ＡＣＫコードブックを送信する必要があることを把握できる。
【００５９】
状況２
該フィードバックパラメータは該ＨＡＲＱ−ＡＣＫコードブックのフィードバックリソースを含む。
【００６０】
選択肢として、該方法は更に、
ネットワーク装置は該目標データのサービスタイプに基づいて、端末装置が該ＨＡＲＱ−ＡＣＫコードブックを送信するためのアップリンク制御チャネルを決定することと、
ネットワーク装置は該ＨＡＲＱ−ＡＣＫコードブックを送信するための該アップリンク制御チャネルを示す第２設定情報を端末装置に送信することと、を含む。
該第２設定情報は該ダウンリンク制御情報と同じＲＮＴＩを使用してスクランブルするダウンリンク制御情報のうちの最後のダウンリンク制御情報に含まれる。
【００６１】
選択肢として、状況２では、ネットワーク装置が異なるサービスタイプのダウンリンクデータをスケジューリングするためのダウンリンク制御情報をスクランブルする際に使用するＲＮＴＩは異なる。例えば、ＵＲＬＬＣタイプのダウンリンクデータをスケジューリングするためのダウンリンク制御情報について、スクランブルする時に使用するＲＮＴＩは第１ＲＮＴＩであってもよく、ｅＭＢＢタイプのダウンリンクデータをスケジューリングするためのダウンリンク制御情報について、該ダウンリンク制御情報をスクランブルする際に使用するＲＮＴＩは第２ＲＮＴＩであってもよい。更に、例えば、ｅＭＢＢタイプのダウンリンクデータをスケジューリングするためのダウンリンク制御情報について、スクランブルする時に使用するＲＮＴＩは第１ＲＮＴＩであってもよく、ＵＲＬＬＣタイプのダウンリンクデータをスケジューリングするためのダウンリンク制御情報について、該ダウンリンク制御情報をスクランブルする際に使用するＲＮＴＩは第２ＲＮＴＩであってもよい。
【００６２】
従って、それに対応して、４５０では、端末装置は該ダウンリンク制御情報と同じＲＮＴＩを使用してデスクランブルするダウンリンク制御情報のうちの最後のダウンリンク制御情報に含まれる該第２設定情報に基づいて、該ＨＡＲＱ−ＡＣＫコードブックを送信するためのアップリンク制御チャネルを決定してもよい。４６０では、端末装置は該アップリンク制御チャネルにおいて、ネットワーク装置に該ＨＡＲＱ−ＡＣＫコードブックを送信することとなる。
【００６３】
且つ、選択肢として、４７０では、ネットワーク装置は該アップリンク制御チャネルにおいて、端末装置から送信された該ＨＡＲＱ−ＡＣＫコードブックを受信してもよく、ネットワーク装置が異なるアップリンク制御チャネルにおいて受信したＨＡＲＱ−ＡＣＫコードブックは、異なるＲＮＴＩによりスクランブルするダウンリンク制御情報によりスケジューリングするダウンリンクデータのＨＡＲＱ−ＡＣＫ情報を含む。例えば、ネットワーク装置は第１アップリンク制御チャネルにおいて、第１ＲＮＴＩによりスクランブルするダウンリンク制御情報によりスケジューリングするダウンリンクデータのＨＡＲＱ−ＡＣＫ情報を受信し、第２アップリンク制御チャネルにおいて、第２ＲＮＴＩによりスクランブルするダウンリンク制御情報によりスケジューリングするダウンリンクデータのＨＡＲＱ−ＡＣＫ情報を受信する。
【００６４】
理解されるように、同じＲＮＴＩを使用してスクランブルする複数のダウンリンク制御情報のうち、最後のダウンリンク制御情報に含まれるアップリンク制御チャネルは、該ＨＡＲＱ−ＡＣＫコードブックを送信するためのアップリンク制御チャネルである。すなわち、端末装置がどのアップリンク制御チャネルにおいて該ＨＡＲＱ−ＡＣＫコードブックを送信するかは、該目標データをスケジューリングするダウンリンク制御情報に含まれるアップリンク制御チャネルに基づくとは限らず、該同じＲＮＴＩを使用してスクランブルするダウンリンク制御情報のうちの最後のダウンリンク制御情報に含まれるアップリンク制御チャネルに基づくものである。該目標データをスケジューリングするダウンリンク制御情報は、該同じＲＮＴＩを使用してスクランブルするダウンリンク制御情報のうちの最後のダウンリンク制御情報である場合、該目標データをスケジューリングするためのダウンリンク制御情報で示されるアップリンク制御チャネルは、該ＨＡＲＱ−ＡＣＫコードブックを送信するためのアップリンク制御チャネルである。
【００６５】
例えば、図７に示すように、静的フィードバックモードを例とし、ｅＭＢＢタイプデータをスケジューリングするダウンリンク制御情報は、いずれも第２ＲＮＴＩによりスクランブルされたものである。ＤＣＩ１及びＤＣＩ３で示されるＰＵＣＣＨはＰＵＣＣＨ１であり、ＤＣＩ２及びＤＣＩ４で示されるＰＵＣＣＨはＰＵＣＣＨ２である。ＤＣＩ４が最後に送信したＤＣＩであって、ＤＣＩ４で示されるＰＵＣＣＨがＰＵＣＣＨ２であるため、これらの４つのｅＭＢＢタイプのダウンリンクデータのＨＡＲＱ−ＡＣＫ情報は、いずれもＰＵＣＣＨ２においてフィードバックされるべきである。図７に示すように、ＰＵＣＣＨ２において送信されるＨＡＲＱ−ＡＣＫコードブックは１０１×１×であり、「×」がプレースホルダであり、４番目の伝送リソース及び６番目の伝送リソースにおいてダウンリンクデータがないためＨＡＲＱ−ＡＣＫ情報がないことを示す。
【００６６】
異なるサービスタイプのダウンリンクデータの遅延及び信頼性への要件が異なるため、該実施例では、これらのダウンリンクデータを送信するために使用するアップリンク制御チャネルも異なってもよい。これらの異なるサービスタイプは例えばｅＭＢＢ、ＵＲＬＬＣ、ｍＭＴＣ等を含んでもよい。
【００６７】
例えば、該目標データのサービスタイプがＵＲＬＬＣである場合、ネットワーク装置は、該ＨＡＲＱ−ＡＣＫコードブックを送信するためのアップリンク制御チャネルが第１アップリンク制御チャネルであることを決定でき、及び／又は、該目標データのサービスタイプがｅＭＢＢである場合、ネットワーク装置は、該ＨＡＲＱ−ＡＣＫコードブックを送信するためのアップリンク制御チャネルが第２アップリンク制御チャネルであることを決定する。
【００６８】
選択肢として、該第１アップリンク制御チャネルが時間領域において該第２アップリンク制御チャネルの前に位置し、及び／又は、該第１アップリンク制御チャネルのエンコードレートが該第２アップリンク制御チャネルのエンコードレートより低い。
【００６９】
例えば、図８に示すように、動的フィードバックモードを例とし、ｅＭＢＢタイプのデータの遅延要件が低く、このタイプのデータのＨＡＲＱ−ＡＣＫコードブックは比較的遅いＰＵＣＣＨ２において送信されてもよいが、ＵＲＬＬＣタイプのデータの遅延要件が高く、このタイプのデータのＨＡＲＱ−ＡＣＫコードブックは比較的早いＰＵＣＣＨ１において送信されてもよい。また、ＵＲＬＬＣタイプのデータは比較的高い信頼性を必要とし、ＰＵＣＣＨ１においてＵＲＬＬＣタイプのデータのＨＡＲＱ−ＡＣＫコードブックを伝送するとき、比較的低いコードレートを設定する必要があるが、ＰＵＣＣＨ２においてｅＭＢＢタイプのデータのＨＡＲＱ−ＡＣＫコードブックを伝送するとき、比較的高いコードレートを設定してもよい。選択肢として、ＵＲＬＬＣタイプのダウンリンクデータをスケジューリングするダウンリンク制御情報は、第１ＲＮＴＩによりスクランブルされ、ｅＭＢＢタイプのダウンリンクデータをスケジューリングするダウンリンク制御情報は、第２ＲＮＴＩによりスクランブルされる。
【００７０】
図８に示すように、４つのｅＭＢＢタイプのダウンリンクデータのＨＡＲＱ−ＡＣＫ情報がそれぞれＡＣＫ１、ＮＡＣＫ２、ＡＣＫ３及びＡＣＫ４であり、２つのＵＲＬＬＣタイプのデータのＨＡＲＱ−ＡＣＫ情報がそれぞれＡＣＫ１及びＡＣＫ２であると仮定すれば、ＰＵＣＣＨ２において伝送されるＨＡＲＱ−ＡＣＫコードブックは１０１１であってもよく、ＰＵＣＣＨ１において伝送されるＨＡＲＱ−ＡＣＫコードブックは１１であってもよい。
【００７１】
異なるサービスタイプのデータのＨＡＲＱ−ＡＣＫ情報がそれぞれフィードバックされてもよいため、異なるタイプのデータのＨＡＲＱ−ＡＣＫ情報をフィードバックするとき、リソースの浪費を引き起こすことなく、異なるダウンリンクデータのフィードバックニーズを満足することができる。
【００７２】
これらの２つの状況において、選択肢として、異なるＲＮＴＩを使用してスクランブル・デスクランブルするダウンリンク制御情報によりスケジューリングするダウンリンクデータのＨＡＲＱ−ＡＣＫ情報は、異なるＨＡＲＱ−ＡＣＫコードブックにある。すなわち、異なるＲＮＴＩを使用してスクランブル・デスクランブルするダウンリンク制御情報によりスケジューリングするダウンリンクデータのＨＡＲＱ−ＡＣＫ情報は、異なるアップリンク制御チャネルにおいてフィードバックされる。
【００７３】
例えば、状況２において、第１ＲＮＴＩによりスクランブルするダウンリンク制御情報によりスケジューリングするＵＲＬＬＣタイプのダウンリンクデータのＨＡＲＱ−ＡＣＫ情報は、ＨＡＲＱ−ＡＣＫコードブックによってＰＵＣＣＨ１において伝送され、第２ＲＮＴＩによりスクランブルするダウンリンク制御情報によりスケジューリングするｅＭＢＢタイプのダウンリンクデータのＨＡＲＱ−ＡＣＫ情報は、ＨＡＲＱ−ＡＣＫコードブックによってＰＵＣＣＨ２において伝送される。
【００７４】
理解されるように、本願の実施例では、状況１と状況２は独立して実現されてもよく、同時に実現されてもよい。例えば、ネットワーク装置は目標データに対応するＨＡＲＱ−ＡＣＫコードブックのフィードバックモード、及び該目標データのサービスタイプに基づいて、どのＲＮＴＩを使用して該目標データをスケジューリングするダウンリンク制御情報をスクランブルするかを決定してもよい。
【００７５】
例えば、該フィードバックモードは準静的フィードバックモード又は動的フィードバックモードを含み、該サービスタイプはｅＭＢＢ及びＵＲＬＬＣを含む。ネットワーク装置はＨＡＲＱ−ＡＣＫコードブックのフィードバックモード及び目標データのサービスタイプをまとめて考慮し、例えばサービスタイプよりフィードバックモードを優先的に考慮し、又はフィードバックモードよりサービスタイプを優先的に考慮して、表２〜表６のうちのいずれか１つに示されるフィードバックモード、サービスタイプ及びＲＮＴＩの対応関係と組み合わせて、第１ＲＮＴＩ及び第２ＲＮＴＩから適切なＲＮＴＩを選択して、該目標データをスケジューリングするダウンリンク制御情報をスクランブルしてもよい。
【００７６】
【表２】
2021526765.tif 000004
【００７７】
【表３】
2021526765.tif 000005
【００７８】
【表４】
2021526765.tif 000006
【００７９】
【表５】
2021526765.tif 000007
【００８０】
なお、ネットワーク装置は状況１及び状況２を同時に実現する必要がある場合、４つのＲＮＴＩ、例えば、表６に示されるフィードバックモード、サービスタイプ及びＲＮＴＩの対応関係を設定してもよい。ネットワーク装置は上記状況１及び状況２に説明される方式に基づいて、ＨＡＲＱ−ＡＣＫコードブックのフィードバックモード及び目標データのサービスタイプをまとめて考慮し、第１ＲＮＴＩ、第２ＲＮＴＩ、第３ＲＮＴＩ及び第４ＲＮＴＩから適切なＲＮＴＩを選択して、該目標データをスケジューリングするダウンリンク制御情報をスクランブルしてもよい。
【００８１】
【表６】
2021526765.tif 000008
【００８２】
更に、なお、衝突しない限り、本願に説明される各実施例及び／又は各実施例の技術的特徴は任意に互いに組み合わせられてもよく、組み合わせて得られた技術案も本願の保護範囲内に含まれるべきである。
【００８３】
理解されるように、本願の様々な実施例では、上記各過程の番号の順位は実行順序の前後を意味せず、各過程の実行順序はその機能及び内部論理によって決定されるべきであり、本願の実施例の実施過程を制限するためのものではない。
【００８４】
以上に本願の実施例に係る通信方法を詳しく説明したが、以下に図９〜図１２を参照しながら本願の実施例に係る装置を説明し、方法実施例に説明される技術的特徴は以下の装置実施例に適用される。
【００８５】
図９は本願の実施例に係る端末装置９００の模式的なブロック図である。図９に示すように、該端末装置９００は受信ユニット９１０、決定ユニット９２０及び送信ユニット９３０を備え、
受信ユニット９１０は、ネットワーク装置から送信された、目標データをスケジューリングするためのダウンリンク制御情報を受信することに用いられ、
前記受信ユニット９１０は更に、前記ネットワーク装置から送信された前記目標データを受信することに用いられ、
決定ユニット９２０は、前記受信ユニット９１０の受信した前記ダウンリンク制御情報に基づいて、ハイブリッド自動再送要求確認応答（ＨＡＲＱ−ＡＣＫ）コードブックのフィードバックパラメータを決定することに用いられ、前記ＨＡＲＱ−ＡＣＫコードブックが前記目標データのＨＡＲＱ−ＡＣＫ情報を含み、前記フィードバックパラメータは前記ＨＡＲＱ−ＡＣＫコードブックのフィードバックモード、及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含み、
送信ユニット９３０は、前記決定ユニット９２０の決定した前記フィードバックパラメータに基づいて、前記ネットワーク装置に前記ＨＡＲＱ−ＡＣＫコードブックを送信することに用いられる。
【００８６】
従って、ネットワーク装置はダウンリンク制御情報によって、ＨＡＲＱ−ＡＣＫコードブックをフィードバックするための使用対象のフィードバックパラメータを端末装置に柔軟に示してもよい。端末装置はダウンリンク制御情報を受信した後、該ダウンリンク制御情報に基づいて該ＨＡＲＱ−ＡＣＫコードブックを送信するために使用するフィードバックパラメータを取得してもよい。これにより、リソースの浪費を引き起こすことなく、異なるダウンリンクデータのフィードバックニーズを満足する。
【００８７】
選択肢として、前記フィードバックパラメータは前記ＨＡＲＱ−ＡＣＫコードブックのフィードバックモードを含む。前記決定ユニット９２０は具体的に、前記ダウンリンク制御情報をデスクランブルするためのＲＮＴＩが第１無線ネットワーク一時的識別子（ＲＮＴＩ）である場合、前記ＨＡＲＱ−ＡＣＫコードブックのフィードバックモードを準静的フィードバックモードとして決定すること、及び／又は、前記ダウンリンク制御情報をデスクランブルするためのＲＮＴＩが第２ＲＮＴＩである場合、前記ＨＡＲＱ−ＡＣＫコードブックのフィードバックモードを動的フィードバックモードとして決定することに用いられる。
【００８８】
選択肢として、前記受信ユニット９１０は更に、前記ネットワーク装置から送信された、ダウンリンク制御情報をデスクランブルするためのＲＮＴＩとＨＡＲＱ−ＡＣＫコードブックのフィードバックモードとの対応関係を示す第１設定情報を受信することに用いられる。又は、前記端末装置は、前記端末装置に予め記憶される前記対応関係を取得するための取得ユニットを更に備える。
【００８９】
選択肢として、前記端末装置が前記ＨＡＲＱ−ＡＣＫコードブックのフィードバックモードを準静的フィードバックモードとして決定する場合、前記決定ユニット９２０は更に、前記目標データの前記ＨＡＲＱ−ＡＣＫコードブックに対応するダウンリンク伝送ウィンドウでの位置に基づいて、前記目標データのＨＡＲＱ−ＡＣＫ情報の前記ＨＡＲＱ−ＡＣＫコードブックでの位置を決定することに用いられる。
【００９０】
選択肢として、前記端末装置が前記ＨＡＲＱ−ＡＣＫコードブックのフィードバックモードを動的フィードバックモードとして決定する場合、前記決定ユニット９２０は更に、前記ダウンリンク制御情報に含まれる前記目標データのＤＡＩに基づいて、前記目標データのＨＡＲＱ−ＡＣＫ情報の前記ＨＡＲＱ−ＡＣＫコードブックでの位置を決定することに用いられる。
【００９１】
選択肢として、前記フィードバックパラメータは前記ＨＡＲＱ−ＡＣＫコードブックのフィードバックリソースを含む。前記決定ユニット９２０は具体的に、前記ダウンリンク制御情報と同じＲＮＴＩを使用してデスクランブルするダウンリンク制御情報のうちの最後のダウンリンク制御情報に含まれる、アップリンク制御チャネルを示すための第２設定情報に基づいて、前記ＨＡＲＱ−ＡＣＫコードブックを送信するための前記アップリンク制御チャネルを決定することに用いられる。前記送信ユニット９３０は具体的に、前記アップリンク制御チャネルにおいて前記ネットワーク装置に前記ＨＡＲＱ−ＡＣＫコードブックを送信することに用いられる。
【００９２】
選択肢として、異なるＲＮＴＩを使用してデスクランブルするダウンリンク制御情報によりスケジューリングするダウンリンクデータのＨＡＲＱ−ＡＣＫ情報は、異なるＨＡＲＱ−ＡＣＫコードブックにある。
【００９３】
理解されるように、該端末装置９００は上記方法４００における端末装置の実行する対応操作を実行することができる。簡潔のために、ここで詳細な説明は省略する。
【００９４】
図１０は本願の実施例に係るネットワーク装置１０００の模式的なブロック図である。図１０に示すように、該ネットワーク装置１０００は送信ユニット１０１０及び受信ユニット１０２０を備え、
送信ユニット１０１０は、目標データをスケジューリングするためのダウンリンク制御情報を端末装置に送信することに用いられ、前記ダウンリンク制御情報は前記端末装置がハイブリッド自動再送要求確認応答（ＨＡＲＱ−ＡＣＫ）コードブックのフィードバックパラメータを決定することに用いられ、前記ＨＡＲＱ−ＡＣＫコードブックが前記目標データのＨＡＲＱ−ＡＣＫ情報を含み、前記フィードバックパラメータは前記ＨＡＲＱ−ＡＣＫコードブックのフィードバックモード、及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含み、
前記送信ユニット１０１０は更に、前記端末装置に前記目標データを送信することに用いられ、
受信ユニット１０２０は、前記端末装置が前記フィードバックパラメータに基づいて送信した前記ＨＡＲＱ−ＡＣＫコードブックを受信することに用いられる。
【００９５】
従って、ネットワーク装置はダウンリンク制御情報によって、ＨＡＲＱ−ＡＣＫコードブックをフィードバックするための使用対象のフィードバックパラメータを端末装置に柔軟に示してもよく、端末装置はダウンリンク制御情報を受信した後、該ダウンリンク制御情報に基づいて該ＨＡＲＱ−ＡＣＫコードブックを送信するために使用するフィードバックパラメータを取得してもよく、これにより、リソースの浪費を引き起こすことなく、異なるダウンリンクデータのフィードバックニーズを満足する。
【００９６】
選択肢として、前記フィードバックパラメータが前記ＨＡＲＱ−ＡＣＫコードブックのフィードバックモードを含み、前記ネットワーク装置は決定ユニットを更に備え、前記決定ユニットは、前記ＨＡＲＱ−ＡＣＫコードブックのフィードバックモードが準静的フィードバックモードである場合、前記ダウンリンク制御情報をスクランブルするための無線ネットワーク一時的識別子（ＲＮＴＩ）を第１ＲＮＴＩとして決定すること、及び／又は、前記ＨＡＲＱ−ＡＣＫコードブックのフィードバックモードが動的フィードバックモードである場合、前記ダウンリンク制御情報をスクランブルするためのＲＮＴＩを第２ＲＮＴＩとして決定することに用いられる。
【００９７】
選択肢として、前記送信ユニット１０１０は更に、ダウンリンク制御情報をスクランブルするためのＲＮＴＩとＨＡＲＱ−ＡＣＫコードブックのフィードバックモードとの対応関係を示す第１設定情報を前記端末装置に送信することに用いられる。
【００９８】
選択肢として、前記決定ユニットは更に、前記ＨＡＲＱ−ＡＣＫコードブックに対応するダウンリンクデータのデータ量が所定閾値以上である場合、前記ＨＡＲＱ−ＡＣＫコードブックのフィードバックモードを準静的フィードバックモードとして決定すること、及び／又は、前記ＨＡＲＱ−ＡＣＫコードブックに対応するダウンリンクデータのデータ量が前記所定閾値以下である場合、前記ＨＡＲＱ−ＡＣＫコードブックのフィードバックモードを動的フィードバックモードとして決定することに用いられる。
【００９９】
選択肢として、前記受信ユニット１０２０は具体的に、
前記端末装置が前記準静的フィードバックモードに基づいて送信した前記ＨＡＲＱ−ＡＣＫコードブックを受信し、前記ＨＡＲＱ−ＡＣＫコードブックは第１ＲＮＴＩを使用してスクランブルするダウンリンク制御情報によりスケジューリングするダウンリンクデータのＨＡＲＱ−ＡＣＫ情報を含むこと、及び／又は、
前記端末装置が前記動的フィードバックモードに基づいて送信した前記ＨＡＲＱ−ＡＣＫコードブックを受信し、前記ＨＡＲＱ−ＡＣＫコードブックは前記第２ＲＮＴＩを使用してスクランブルするダウンリンク制御情報によりスケジューリングするダウンリンクデータのＨＡＲＱ−ＡＣＫ情報を含むことに用いられる。
【０１００】
選択肢として、前記フィードバックパラメータが前記ＨＡＲＱ−ＡＣＫコードブックのフィードバックリソースを含み、前記決定ユニットは具体的に、
前記目標データのサービスタイプに基づいて、前記端末装置が前記ＨＡＲＱ−ＡＣＫコードブックを送信するためのアップリンク制御チャネルを決定することと、
前記ネットワーク装置は前記アップリンク制御チャネルを示すための第２設定情報を前記端末装置に送信し、前記第２設定情報は前記ダウンリンク制御情報と同じＲＮＴＩを使用してスクランブルするダウンリンク制御情報のうちの最後のダウンリンク制御情報に含まれ、前記ネットワーク装置が異なるサービスタイプのダウンリンクデータをスケジューリングするためのダウンリンク制御情報をスクランブルする際に使用するＲＮＴＩは異なることと、に用いられる。
【０１０１】
選択肢として、前記決定ユニットは具体的に、前記目標データのサービスタイプがＵＲＬＬＣである場合、前記アップリンク制御チャネルを第１アップリンク制御チャネルとして決定すること、及び／又は、前記目標データのサービスタイプがｅＭＢＢである場合、前記アップリンク制御チャネルを第２アップリンク制御チャネルとして決定することに用いられる。
【０１０２】
選択肢として、前記第１アップリンク制御チャネルは時間領域において前記第２アップリンク制御チャネルの前に位置し、及び／又は、前記第１アップリンク制御チャネルのエンコードレートは前記第２アップリンク制御チャネルのエンコードレートより低い。
【０１０３】
選択肢として、前記受信ユニット１０２０は具体的に、前記アップリンク制御チャネルにおいて前記端末装置から送信された前記ＨＡＲＱ−ＡＣＫコードブックを受信することに用いられ、前記ネットワーク装置が異なるアップリンク制御チャネルにおいて受信したＨＡＲＱ−ＡＣＫコードブックは、異なるＲＮＴＩによりスクランブルするダウンリンク制御情報によりスケジューリングするダウンリンクデータのＨＡＲＱ−ＡＣＫ情報を含む。
【０１０４】
選択肢として、異なるＲＮＴＩを使用してデスクランブルするダウンリンク制御情報によりスケジューリングするダウンリンクデータのＨＡＲＱ−ＡＣＫ情報は、異なるＨＡＲＱ−ＡＣＫコードブックにある。
【０１０５】
理解されるように、該通信装置１０００は上記方法４００におけるネットワーク装置の実行する対応操作を実行することができる。簡潔のために、ここで詳細な説明は省略する。
【０１０６】
図１１は本願の実施例に係る通信装置１１００の構造模式図である。図１１に示される通信装置１１００はプロセッサ１１１０を備え、プロセッサ１１１０はメモリからコンピュータプログラムを呼び出して実行して、本願の実施例の方法を実現することができる。
【０１０７】
選択肢として、図１１に示すように、通信装置１１００はメモリ１１２０を更に備えてもよい。プロセッサ１１１０はメモリ１１２０からコンピュータプログラムを呼び出して実行して、本願の実施例の方法を実現することができる。
【０１０８】
メモリ１１２０はプロセッサ１１１０から独立した１つの独立したデバイスであってもよく、プロセッサ１１１０に統合されてもよい。
【０１０９】
選択肢として、図１１に示すように、通信装置１１００は送受信機１１３０を更に備えてもよく、プロセッサ１１１０は他の装置と通信するように該送受信機１１３０を制御することができ、具体的に、他の装置に情報又はデータを送信し、又は他の装置から送信された情報又はデータを受信することができる。
【０１１０】
送受信機１１３０は送信機及び受信機を備えてもよい。送受信機１１３０はアンテナを更に備えてもよく、アンテナの数が１つ又は複数であってもよい。
【０１１１】
選択肢として、該通信装置１１００は具体的に本願の実施例の端末装置であってもよく、且つ該通信装置１１００は本願の実施例の各方法における端末装置の実現する対応プロセスを実現することができる。簡潔のために、ここで詳細な説明は省略する。
【０１１２】
選択肢として、該通信装置１１００は具体的に本願の実施例のネットワーク装置であってもよく、且つ該通信装置１１００は本願の実施例の各方法におけるネットワーク装置の実現する対応プロセスを実現することができる。簡潔のために、ここで詳細な説明は省略する。
【０１１３】
図１２は本願の実施例のチップの構造模式図である。図１２に示されるチップ１２００はプロセッサ１２１０を備え、プロセッサ１２１０はメモリからコンピュータプログラムを呼び出して実行して、本願の実施例の方法を実現することができる。
【０１１４】
選択肢として、図１２に示すように、チップ１２００はメモリ１２２０を更に備えてもよい。プロセッサ１２１０はメモリ１２２０からコンピュータプログラムを呼び出して実行して、本願の実施例の方法を実現することができる。
【０１１５】
メモリ１２２０はプロセッサ１２１０から独立した１つの独立したデバイスであってもよく、プロセッサ１２１０に統合されてもよい。
【０１１６】
選択肢として、該チップ１２００は入力インターフェース１２３０を更に備えてもよい。プロセッサ１２１０は他の装置又はチップと通信するように該入力インターフェース１２３０を制御することができ、具体的に、他の装置又はチップから送信された情報又はデータを取得することができる。
【０１１７】
選択肢として、該チップ１２００は出力インターフェース１２４０を更に備えてもよい。プロセッサ１２１０は他の装置又はチップと通信するように該出力インターフェース１２４０を制御することができ、具体的に、他の装置又はチップに情報又はデータを出力することができる。
【０１１８】
選択肢として、該チップは本願の実施例の端末装置に適用されてもよく、且つ該チップは本願の実施例の各方法における端末装置の実現する対応プロセスを実現することができる。簡潔のために、ここで詳細な説明は省略する。
【０１１９】
選択肢として、該チップは本願の実施例のネットワーク装置に適用されてもよく、且つ該チップは本願の実施例の各方法におけるネットワーク装置の実現する対応プロセスを実現することができる。簡潔のために、ここで詳細な説明は省略する。
【０１２０】
理解されるように、本願の実施例に言及したチップは更にシステムレベルチップ、システムチップ、チップシステム又はシステムオンチップ等と称されてもよい。
【０１２１】
理解されるように、本願の実施例のプロセッサは信号処理機能を有する集積回路チップでありうる。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完成し、又は復号プロセッサにおけるハードウェア及びソフトウェアモジュールの組み合わせで実行して完成するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１２２】
理解されるように、本願の実施例では、メモリは揮発性メモリ又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。
【０１２３】
例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。なお、本明細書に説明されるシステム及び方法のメモリはこれらのメモリ及び任意の他の適切なタイプのメモリを含むが、それらに限らないように意図されるものである。
【０１２４】
図１３は本願の実施例に係る通信システム１３００の模式的なブロック図である。図１３に示すように、該通信システム１３００はネットワーク装置１３１０及び端末装置１３２０を備える。
【０１２５】
該ネットワーク装置１３１０は、
目標データをスケジューリングするためのダウンリンク制御情報を端末装置に送信し、前記ダウンリンク制御情報は前記端末装置がハイブリッド自動再送要求確認応答（ＨＡＲＱ−ＡＣＫ）コードブックのフィードバックパラメータを決定することに用いられ、前記ＨＡＲＱ−ＡＣＫコードブックが前記目標データのＨＡＲＱ−ＡＣＫ情報を含み、前記フィードバックパラメータは前記ＨＡＲＱ−ＡＣＫコードブックのフィードバックモード、及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むことと、
前記端末装置に前記目標データを送信することと、
前記端末装置が前記フィードバックパラメータに基づいて送信した前記ＨＡＲＱ−ＡＣＫコードブックを受信することと、に用いられる。
【０１２６】
該端末装置１３２０は、
ネットワーク装置から送信された、目標データをスケジューリングするためのダウンリンク制御情報を受信することと、
前記ネットワーク装置から送信された前記目標データを受信することと、
前記ダウンリンク制御情報に基づいて、ハイブリッド自動再送要求確認応答（ＨＡＲＱ−ＡＣＫ）コードブックのフィードバックパラメータを決定し、前記ＨＡＲＱ−ＡＣＫコードブックが前記目標データのＨＡＲＱ−ＡＣＫ情報を含み、前記フィードバックパラメータは前記ＨＡＲＱ−ＡＣＫコードブックのフィードバックモード、及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むことと、
前記フィードバックパラメータに基づいて、前記ネットワーク装置に前記ＨＡＲＱ−ＡＣＫコードブックを送信することと、に用いられる。
【０１２７】
該ネットワーク装置１３１０は上記方法４００におけるネットワーク装置の実現する対応機能を実現することに用いられてもよく、該ネットワーク装置１３１０の構成は図１１におけるネットワーク装置１１００に示されてもよい。簡潔のために、ここで詳細な説明は省略する。
【０１２８】
該端末装置１３２０は上記方法４００における端末装置の実現する対応機能を実現することに用いられてもよく、該端末装置１３２０の構成は図１０における端末装置１０００に示されてもよい。簡潔のために、ここで詳細な説明は省略する。
【０１２９】
本願の実施例は更にコンピュータ可読記憶媒体を提供し、該コンピュータ可読記憶媒体はコンピュータプログラムを記憶することに用いられる。選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行する。簡潔のために、ここで詳細な説明は省略する。選択肢として、該コンピュータ可読記憶媒体は本願の実施例の端末装置に適用されてもよく、且つ該コンピュータプログラムによってコンピュータが本願の実施例の各方法における端末装置の実現する対応プロセスを実行する。簡潔のために、ここで詳細な説明は省略する。
【０１３０】
本願の実施例は更にコンピュータプログラム製品を提供し、該コンピュータプログラム製品はコンピュータプログラム命令を含む。選択肢として、該コンピュータプログラム製品は本願の実施例のネットワーク装置に適用されてもよく、且つ該コンピュータプログラム命令によってコンピュータが本願の実施例の各方法におけるネットワーク装置の実現する対応プロセスを実行する。簡潔のために、ここで詳細な説明は省略する。選択肢として、該コンピュータプログラム製品は本願の実施例の端末装置に適用されてもよく、且つ該コンピュータプログラム命令によってコンピュータが本願の実施例の各方法における端末装置の実現する対応プロセスを実行する。簡潔のために、ここで詳細な説明は省略する。
【０１３１】
本願の実施例は更にコンピュータプログラムを提供する。選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置の実現する対応プロセスを実行する。簡潔のために、ここで詳細な説明は省略する。選択肢として、該コンピュータプログラムは本願の実施例の端末装置に適用されてもよく、該コンピュータプログラムがコンピュータにおいて実行されるとき、コンピュータが本願の実施例の各方法における端末装置の実現する対応プロセスを実行する。簡潔のために、ここで詳細な説明は省略する。
【０１３２】
理解されるように、本明細書における用語「システム」と「ネットワーク」は本明細書において常に交換可能に使用される。本明細書における用語「及び／又は」は関連オブジェクトの関連関係を説明するためのものに過ぎず、３つの関係が存在してもよいことを示す。例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」の関係であることを示す。
【０１３３】
更に理解されるように、本発明の実施例では、「Ａに対応する（応じる）Ｂ」はＢがＡに関連し、Ａに基づいてＢを決定することができることを示す。しかしながら、更に理解されるように、Ａに基づいてＢを決定することは、Ａのみに基づいてＢを決定することを意味せず、更にＡ及び／又は他の情報に基づいてＢを決定することができることを意味する。
【０１３４】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１３５】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０１３６】
本願に係るいくつかの実施例において、理解されるように、開示されるシステム、装置及び方法は他の方式で実現されてもよい。例えば、以上に説明される装置実施例は模式的なものに過ぎず、例えば、該ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３７】
分離部材として説明される前記ユニットは物理的に分離してもよく、物理的に分離しなくてもよく、ユニットとして表示される部材は物理ユニットであってもよく、物理ユニットでなくてもよく、即ち、一箇所に位置してもよく、複数のネットワークユニットに配置されてもよい。実際の必要に応じて、その一部又は全部のユニットを選択して本実施例案の目的を実現してもよい。
【０１３８】
また、本願の各実施例では、各機能ユニットは１つの処理ユニットに統合されてもよく、各ユニットは独立して物理的に存在してもよく、２つ以上のユニットは１つのユニットに統合されてもよい。
【０１３９】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよい。該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。上記記憶媒体はＵＳＢメモリ、ポータブルハードディスク、読み出し専用メモリ、ランダムアクセスメモリ、磁気ディスク又は光ディスク等のプログラムコードを記憶できる様々な媒体を含む。
【０１４０】
以上の説明は本願の具体的な実施形態に過ぎず、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021526765.tif 000009
【図２】
2021526765.tif 000010
【図３】
2021526765.tif 000011
【図４】
2021526765.tif 000012
【図５】
2021526765.tif 000013
【図６】
2021526765.tif 000014
【図７】
2021526765.tif 000015
【図８】
2021526765.tif 000016
【図９】
2021526765.tif 000017
【図１０】
2021526765.tif 000018
【図１１】
2021526765.tif 000019
【図１２】
2021526765.tif 000020
【図１３】
2021526765.tif 000021
【手続補正書】
【提出日】令和2年12月11日(2020.12.11)
【手続補正２】
【補正対象書類名】明細書
【補正対象項目名】００２２
【補正方法】変更
【補正の内容】
【００２２】
例えば、図２は準静的フィードバックモードにおけるＨＡＲＱ−ＡＣＫコードブックの伝送模式図である。該ＨＡＲＱ−ＡＣＫコードブックに対応するダウンリンク伝送ウィンドウに６つのダウンリンク伝送リソースが含まれ、１番目の伝送リソース、２番目の伝送リソース、３番目の伝送リソース及び６番目の伝送リソースにおいて、ダウンリンクデータがあり、且つこれらの４つの伝送リソースにおけるダウンリンクデータのＨＡＲＱ−ＡＣＫ情報は順に肯定応答（ＡＣＫ、Ａｃｋｎｏｗｌｅｄｇｅｍｅｎｔ）１、否定応答（ＮＡＣＫ、Ｎｅｇａｔｉｖｅ  Ａｃｋｎｏｗｌｅｄｇｅｍｅｎｔ）１、ＮＡＣＫ２、ＡＣＫ３及びＡＣＫ６であるが、該ダウンリンク伝送ウィンドウにおける４番目の伝送リソース及び５番目の伝送リソースにおいて、ダウンリンクデータがなく、それぞれ間欠送信（ＤＴＸ、Ｄｉｓｃｏｎｔｉｎｕｏｕｓ  Ｔｒａｎｓｍｉｓｓｉｏｎ）４及びＤＴＸ５と記される。端末装置は物理アップリンク制御チャネル（ＰＵＣＣＨ、Ｐｈｙｓｉｃａｌ  Ｕｐｌｉｎｋ  Ｃｏｎｔｒｏｌ  Ｃｈａｎｎｅｌ）１においてＨＡＲＱ−ＡＣＫコードブックを送信してもよく、該ＨＡＲＱ−ＡＣＫコードブックに６つの指示フィールドが含まれ、順に上記６つの伝送リソースにおけるダウンリンクデータのＨＡＲＱ−ＡＣＫ情報に対応する。１でＡＣＫを示し、０でＮＡＣＫを示すと仮定すれば、該ＨＡＲＱ−ＡＣＫコードブックが１０１××１であり、「×」がプレースホルダを示し、４番目の伝送リソース及び５番目の伝送リソースにおいてダウンリンクデータがないためＨＡＲＱ−ＡＣＫ情報がないことを示す。
【手続補正３】
【補正対象書類名】明細書
【補正対象項目名】００４１
【補正方法】変更
【補正の内容】
【００４１】
該ネットワーク装置はダウンリンク制御情報によって、該フィードバックパラメータを端末装置に直接で明示的に示してもよく、例えば該ダウンリンク制御情報に該フィードバックパラメータが含まれる。また、該ネットワーク装置はダウンリンク制御情報によって該フィードバックパラメータを端末装置に暗示的に示してもよく、以下に具体的に説明する。
【手続補正４】
【補正対象書類名】明細書
【補正対象項目名】００５４
【補正方法】変更
【補正の内容】
【００５４】
例えば、該ＨＡＲＱ−ＡＣＫコードブックに対応するダウンリンクデータのデータ量が所定閾値以上である場合、ネットワーク装置は該ＨＡＲＱ−ＡＣＫコードブックのフィードバックモードを準静的フィードバックモードとして決定し、及び／又は、該ＨＡＲＱ−ＡＣＫコードブックに対応するダウンリンクデータのデータ量が該所定閾値より小さい場合、ネットワーク装置は該ＨＡＲＱ−ＡＣＫコードブックのフィードバックモードを動的フィードバックモードとして決定する。
【手続補正５】
【補正対象書類名】明細書
【補正対象項目名】００５５
【補正方法】変更
【補正の内容】
【００５５】
又は、ダウンリンクデータ量が所定閾値以上である場合、ネットワーク装置は前記ダウンリンク制御情報をスクランブルするＲＮＴＩを第１ＲＮＴＩとして決定し、及び／又は、ダウンリンクデータ量が該所定閾値より小さい場合、ネットワーク装置は該ダウンリンク制御情報をスクランブルするＲＮＴＩを第２ＲＮＴＩとして決定する。
【手続補正６】
【補正対象書類名】明細書
【補正対象項目名】００７５
【補正方法】変更
【補正の内容】
【００７５】
例えば、該フィードバックモードは準静的フィードバックモード又は動的フィードバックモードを含み、該サービスタイプはｅＭＢＢ又はＵＲＬＬＣを含む。ネットワーク装置はＨＡＲＱ−ＡＣＫコードブックのフィードバックモード及び目標データのサービスタイプをまとめて考慮し、例えばサービスタイプよりフィードバックモードを優先的に考慮し、又はフィードバックモードよりサービスタイプを優先的に考慮して、表２〜表６のうちのいずれか１つに示されるフィードバックモード、サービスタイプ及びＲＮＴＩの対応関係と組み合わせて、第１ＲＮＴＩ及び第２ＲＮＴＩから適切なＲＮＴＩを選択して、該目標データをスケジューリングするダウンリンク制御情報をスクランブルしてもよい。
【手続補正７】
【補正対象書類名】明細書
【補正対象項目名】００８７
【補正方法】変更
【補正の内容】
【００８７】
選択肢として、前記フィードバックパラメータは前記ＨＡＲＱ−ＡＣＫコードブックのフィードバックモードを含む。前記決定ユニット９２０は具体的に、前記ダウンリンク制御情報をデスクランブルするための無線ネットワーク一時的識別子ＲＮＴＩが第１ＲＮＴＩである場合、前記ＨＡＲＱ−ＡＣＫコードブックのフィードバックモードを準静的フィードバックモードとして決定すること、及び／又は、前記ダウンリンク制御情報をデスクランブルするためのＲＮＴＩが第２ＲＮＴＩである場合、前記ＨＡＲＱ−ＡＣＫコードブックのフィードバックモードを動的フィードバックモードとして決定することに用いられる。
【手続補正８】
【補正対象書類名】明細書
【補正対象項目名】００８９
【補正方法】変更
【補正の内容】
【００８９】
選択肢として、前記決定ユニット９２０が前記ＨＡＲＱ−ＡＣＫコードブックのフィードバックモードを準静的フィードバックモードとして決定する場合、前記決定ユニット９２０は更に、前記目標データの前記ＨＡＲＱ−ＡＣＫコードブックに対応するダウンリンク伝送ウィンドウでの位置に基づいて、前記目標データのＨＡＲＱ−ＡＣＫ情報の前記ＨＡＲＱ−ＡＣＫコードブックでの位置を決定することに用いられる。
【手続補正９】
【補正対象書類名】明細書
【補正対象項目名】００９０
【補正方法】変更
【補正の内容】
【００９０】
選択肢として、前記決定ユニット９２０が前記ＨＡＲＱ−ＡＣＫコードブックのフィードバックモードを動的フィードバックモードとして決定する場合、前記決定ユニット９２０は更に、前記ダウンリンク制御情報に含まれる前記目標データのＤＡＩに基づいて、前記目標データのＨＡＲＱ−ＡＣＫ情報の前記ＨＡＲＱ−ＡＣＫコードブックでの位置を決定することに用いられる。
【手続補正１０】
【補正対象書類名】明細書
【補正対象項目名】００９８
【補正方法】変更
【補正の内容】
【００９８】
選択肢として、前記決定ユニットは更に、前記ＨＡＲＱ−ＡＣＫコードブックに対応するダウンリンクデータのデータ量が所定閾値以上である場合、前記ＨＡＲＱ−ＡＣＫコードブックのフィードバックモードを準静的フィードバックモードとして決定すること、及び／又は、前記ＨＡＲＱ−ＡＣＫコードブックに対応するダウンリンクデータのデータ量が前記所定閾値より小さい場合、前記ＨＡＲＱ−ＡＣＫコードブックのフィードバックモードを動的フィードバックモードとして決定することに用いられる。
【手続補正１１】
【補正対象書類名】明細書
【補正対象項目名】０１００
【補正方法】変更
【補正の内容】
【０１００】
選択肢として、前記フィードバックパラメータが前記ＨＡＲＱ−ＡＣＫコードブックのフィードバックリソースを含み、前記決定ユニットは具体的に、
前記目標データのサービスタイプに基づいて、前記端末装置が前記ＨＡＲＱ−ＡＣＫコードブックを送信するためのアップリンク制御チャネルを決定することと、
前記送信ユニット１０１０は前記アップリンク制御チャネルを示すための第２設定情報を前記端末装置に送信し、前記第２設定情報は前記ダウンリンク制御情報と同じＲＮＴＩを使用してスクランブルするダウンリンク制御情報のうちの最後のダウンリンク制御情報に含まれ、前記ネットワーク装置が異なるサービスタイプのダウンリンクデータをスケジューリングするためのダウンリンク制御情報をスクランブルする際に使用するＲＮＴＩは異なることと、に用いられる。
【手続補正１２】
【補正対象書類名】特許請求の範囲
【補正対象項目名】全文
【補正方法】変更
【補正の内容】
【特許請求の範囲】
【請求項１】
フィードバック情報の伝送方法であって、
端末装置がネットワーク装置から送信された、目標データをスケジューリングするためのダウンリンク制御情報を受信することと、
前記端末装置が前記ネットワーク装置から送信された前記目標データを受信することと、
前記端末装置が前記ダウンリンク制御情報に基づいて、ハイブリッド自動再送要求確認応答（ＨＡＲＱ−ＡＣＫ）コードブックのフィードバックパラメータを決定し、前記ＨＡＲＱ−ＡＣＫコードブックが前記目標データのＨＡＲＱ−ＡＣＫ情報を含み、前記フィードバックパラメータが前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含むことと、
前記端末装置が前記フィードバックパラメータに基づいて、前記ネットワーク装置に前記ＨＡＲＱ−ＡＣＫコードブックを送信することと、を含むフィードバック情報の伝送方法。
【請求項２】
前記ＨＡＲＱ−ＡＣＫコードブックのフィードバックモード及び／又は前記ＨＡＲＱ−ＡＣＫコードブックを送信するためのフィードバックリソースは、前記ネットワーク装置が前記ダウンリンク制御情報により前記端末装置に設定したものである請求項１に記載の方法。
【請求項３】
前記端末装置が前記ＨＡＲＱ−ＡＣＫコードブックを送信するためのアップリンク制御チャネルは、前記ネットワーク装置により設定した前記目標データのサービスタイプに基づいて決定されたものである請求項１に記載の方法。
【請求項４】
前記方法は更に、
前記端末装置が前記ネットワーク装置から送信された、前記ＨＡＲＱ−ＡＣＫコードブックを送信する前記アップリンク制御チャネルを示すための設定情報を受信することを含む請求項３に記載の方法。
【請求項５】
異なるサービスタイプの目標データに対して、使用されるアップリンク制御チャネルは異なる請求項３又は４に記載の方法。
【請求項６】
前記フィードバックパラメータが前記ＨＡＲＱ−ＡＣＫコードブックのフィードバックリソースを含み、前記端末装置が前記ダウンリンク制御情報に基づいてＨＡＲＱ−ＡＣＫコードブックのフィードバックパラメータを決定することは、
前記端末装置は前記ダウンリンク制御情報と同じＲＮＴＩを使用してデスクランブルするダウンリンク制御情報のうちの最後のダウンリンク制御情報に含まれる、アップリンク制御チャネルを示すための設定情報に基づいて、前記ＨＡＲＱ−ＡＣＫコードブックを送信するための前記アップリンク制御チャネルを決定することを含み、
前記端末装置が前記フィードバックパラメータに基づいて前記ネットワーク装置に前記ＨＡＲＱ−ＡＣＫコードブックを送信することは、
前記端末装置が前記アップリンク制御チャネルにおいて前記ネットワーク装置に前記ＨＡＲＱ−ＡＣＫコードブックを送信することを含むことを特徴とする請求項１に記載の方法。
【請求項７】
フィードバック情報の伝送方法であって、
ネットワーク装置は目標データをスケジューリングするためのダウンリンク制御情報を端末装置に送信し、前記ダウンリンク制御情報は前記端末装置がハイブリッド自動再送要求確認応答（ＨＡＲＱ−ＡＣＫ）コードブックのフィードバックパラメータを決定することに用いられ、前記ＨＡＲＱ−ＡＣＫコードブックは前記目標データのＨＡＲＱ−ＡＣＫ情報を含み、前記フィードバックパラメータは前記ＨＡＲＱ−ＡＣＫコードブックのフィードバックモード及び／又は前記ＨＡＲＱ−ＡＣＫコードブックを送信するためのフィードバックリソースを含み、前記ＨＡＲＱ−ＡＣＫコードブックのフィードバックモードは準静的フィードバックモード又は動的フィードバックモードを含むことと、
前記ネットワーク装置は前記端末装置に前記目標データを送信することと、
前記ネットワーク装置は前記端末装置が前記フィードバックパラメータに基づいて送信した前記ＨＡＲＱ−ＡＣＫコードブックを受信することと、を含むフィードバック情報の伝送方法。
【請求項８】
前記方法は更に、
前記ネットワーク装置が、前記ＨＡＲＱ−ＡＣＫコードブックのフィードバックモード及び／又は前記ＨＡＲＱ−ＡＣＫコードブックを送信するためのフィードバックリソースを前記端末装置に設定することを含む請求項７に記載の方法。
【請求項９】
前記ネットワーク装置が、前記ＨＡＲＱ−ＡＣＫコードブックのフィードバックモード及び／又は前記ＨＡＲＱ−ＡＣＫコードブックを送信するためのフィードバックリソースを前記端末装置に設定することは、
前記ネットワーク装置が前記ダウンリンク制御情報により、前記ＨＡＲＱ−ＡＣＫコードブックのフィードバックモード及び／又は前記ＨＡＲＱ−ＡＣＫコードブックを送信するためのフィードバックリソースを、前記端末装置に示すことを含む請求項８に記載の方法。
【請求項１０】
前記方法は更に、
前記ネットワーク装置が前記目標データのサービスタイプに基づいて、前記端末装置が前記ＨＡＲＱ−ＡＣＫコードブックを送信するためのアップリンク制御チャネルを決定することを含む請求項７に記載の方法。
【請求項１１】
前記方法は更に、
前記ネットワーク装置が、前記ＨＡＲＱ−ＡＣＫコードブックを送信する前記アップリンク制御チャネルを示すための設定情報を、前記端末装置に送信することを含む請求項１０に記載の方法。
【請求項１２】
異なるサービスタイプの目標データに対して、使用されるアップリンク制御チャネルは異なる請求項１０又は１１に記載の方法。
【請求項１３】
端末装置であって、受信ユニット、決定ユニット及び送信ユニットを備え、
前記受信ユニットは、ネットワーク装置から送信された、目標データをスケジューリングするためのダウンリンク制御情報を受信することに用いられ、
前記受信ユニットは更に、前記ネットワーク装置から送信された前記目標データを受信することに用いられ、
前記決定ユニットは、前記受信ユニットの受信した前記ダウンリンク制御情報に基づいて、ハイブリッド自動再送要求確認応答（ＨＡＲＱ−ＡＣＫ）コードブックのフィードバックパラメータを決定することに用いられ、前記ＨＡＲＱ−ＡＣＫコードブックは前記目標データのＨＡＲＱ−ＡＣＫ情報を含み、前記フィードバックパラメータは前記ＨＡＲＱ−ＡＣＫコードブックのフィードバックモード、及び／又は前記ＨＡＲＱ−ＡＣＫコードブックを送信するためのフィードバックリソースを含み、前記ＨＡＲＱ−ＡＣＫコードブックのフィードバックモードは準静的フィードバックモード又は動的フィードバックモードを含み、
前記送信ユニットは、前記決定ユニットの決定した前記フィードバックパラメータに基づいて、前記ネットワーク装置に前記ＨＡＲＱ−ＡＣＫコードブックを送信することに用いられる端末装置。
【請求項１４】
前記ＨＡＲＱ−ＡＣＫコードブックのフィードバックモード及び／又は前記ＨＡＲＱ−ＡＣＫコードブックを送信するためのフィードバックリソースは、前記ネットワーク装置が前記ダウンリンク制御情報により前記端末装置に設定したものである請求項１３に記載の端末装置。
【請求項１５】
前記送信ユニットが前記ＨＡＲＱ−ＡＣＫコードブックを送信するためのアップリンク制御チャネルは、前記ネットワーク装置により設定した前記目標データのサービスタイプに基づいて決定されたものである請求項１３に記載の端末装置。
【請求項１６】
前記受信ユニットは更に、
前記ネットワーク装置から送信された、前記ＨＡＲＱ−ＡＣＫコードブックを送信する前記アップリンク制御チャネルを示すための設定情報を受信することに用いられる請求項１５に記載の端末装置。
【請求項１７】
異なるサービスタイプの目標データに対して、使用されるアップリンク制御チャネルは異なる請求項１５又は１６に記載の端末装置。
【請求項１８】
ネットワーク装置であって、送信ユニット及び受信ユニットを備え、
前記送信ユニットは、目標データをスケジューリングするためのダウンリンク制御情報を端末装置に送信することに用いられ、前記ダウンリンク制御情報は前記端末装置がハイブリッド自動再送要求確認応答（ＨＡＲＱ−ＡＣＫ）コードブックのフィードバックパラメータを決定することに用いられ、前記ＨＡＲＱ−ＡＣＫコードブックが前記目標データのＨＡＲＱ−ＡＣＫ情報を含み、前記フィードバックパラメータは前記ＨＡＲＱ−ＡＣＫコードブックのフィードバックモード、及び／又は前記ＨＡＲＱ−ＡＣＫコードブックを送信するためのフィードバックリソースを含み、前記ＨＡＲＱ−ＡＣＫコードブックのフィードバックモードが準静的フィードバックモード又は動的フィードバックモードを含み、
前記送信ユニットは更に、前記端末装置に前記目標データを送信することに用いられ、
前記受信ユニットは、前記端末装置が前記フィードバックパラメータに基づいて送信した前記ＨＡＲＱ−ＡＣＫコードブックを受信することに用いられるネットワーク装置。
【請求項１９】
前記ネットワーク装置は決定ユニットを更に含み、
前記決定ユニットは、前記ＨＡＲＱ−ＡＣＫコードブックのフィードバックモード及び／又は前記ＨＡＲＱ−ＡＣＫコードブックを送信するためのフィードバックリソースを前記端末装置に設定することに用いられる請求項１８に記載のネットワーク装置。
【請求項２０】
前記決定ユニットは、前記ダウンリンク制御情報により、前記ＨＡＲＱ−ＡＣＫコードブックのフィードバックモード及び／又は前記ＨＡＲＱ−ＡＣＫコードブックを送信するためのフィードバックリソースを、前記端末装置に示すこと用いられる請求項１９に記載のネットワーク装置。
【請求項２１】
前記ネットワーク装置は決定ユニットを更に含み、
前記決定ユニットは、前記目標データのサービスタイプに基づいて、前記端末装置が前記ＨＡＲＱ−ＡＣＫコードブックを送信するためのアップリンク制御チャネルを決定することに用いられる請求項１８に記載のネットワーク装置。
【請求項２２】
前記決定ユニットは更に、前記ＨＡＲＱ−ＡＣＫコードブックを送信する前記アップリンク制御チャネルを示すための設定情報を、前記端末装置に送信することに用いられる請求項２１に記載のネットワーク装置。
【請求項２３】
異なるサービスタイプの目標データに対して、使用されるアップリンク制御チャネルは異なる請求項２１又は２２に記載のネットワーク装置。
【国際調査報告】
2021526765.tif 000022
2021526765.tif 000023